(57)【要約】【課題】可動体を姿勢変化させることなく大きく移動させるインパクトのある演出によって興趣を向上し得る遊技機を提供する。【解決手段】各可動演出装置Ｎ１,Ｎ２は、初期位置と移動位置との間を移動する作動部材７６に、可動台が回動自在に支持される。可動台に、第２表示装置９３がスライド動作自在に支持される。両作動部材７６,７６の初期位置では、両第２表示装置９３,９３は上下方向に離間した分離状態となる。作動部材７６,７６を第１移動位置に移動する際に、作動部材７６,７６に対して可動台を回転動作すると共に、可動台に対して第２表示装置９３,９３をスライド動作することで、第１移動位置で２つの第２表示装置９３,９３は初期位置での姿勢を維持したまま集合状態となる。【選択図】図２
2016042893.tif 000002
【特許請求の範囲】
【請求項１】
動作により演出を行う可動演出装置を備えた遊技機において、
前記可動演出装置は、
初期位置および移動位置の間を回動可能な作動部材と、
前記作動部材を初期位置および移動位置の間で移動させる移動機構と、
前記作動部材に配設され、初期位置および移動位置の間を作動部材が移動する移動平面と交差する回転軸周りに回転可能な可動体と、
前記作動部材または可動体に配設され、該可動体を作動部材に対して回転させる姿勢維持機構とを備え、
前記姿勢維持機構は、前記可動体が前記初期位置での姿勢を維持するように前記作動部材の移動に合わせて該可動体を回転させるよう構成された
ことを特徴とする遊技機。
【請求項２】
前記可動体は、前記作動部材に対して前記移動平面に沿って該作動部材の移動方向と交差する方向にスライド動作可能に配設され、
前記姿勢維持機構は、前記可動体が直線軌道上を移動するように前記作動部材の移動に合わせて該可動体をスライド動作させるよう構成された請求項１記載の遊技機。
【請求項３】
前記可動体は、前側に臨む表示部に画像を表示可能な表示装置であって、該表示装置の前記表示部が前記初期位置および移動位置において前側から視認可能に構成された請求項１または２記載の遊技機。
【請求項４】
前記可動体は、前記作動部材に回転可能に配設された可動台と、該可動台にスライド動作可能に配設されて前側に臨む表示部に画像を表示可能な表示装置とを備え、
前記表示装置の前記表示部が前記初期位置および移動位置において前側から視認可能に構成されると共に、
前記姿勢維持機構は、前記作動部材に配設されて該作動部材に対して前記可動台を回転動作させる回転駆動機構と、前記可動台に配設されて該可動台に対して前記表示装置をスライド動作させるスライド駆動機構とを備える請求項２記載の遊技機。
【発明の詳細な説明】
【技術分野】
【０００１】
本発明は、動作による演出を行う可動演出装置を備えた遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置(表示装置)を後方から臨ませると共に、該遊技盤における枠状装飾体の下方位置に、パチンコ球(遊技球)の入賞により図柄表示装置での図柄変動を開始させる始動入賞装置(始動入賞手段)や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組み合わせで停止することにより所謂大当りが発生し、前記特別入賞装置が開放して多数の賞球を獲得し得るよう構成されている。
【０００３】
また、所要の動作を行う可動体を備えた可動式の演出装置(可動演出装置)を前記遊技盤等に配設し、該可動体を図柄表示装置での図柄変動演出に合わせて動作させることによって、演出効果を向上するようにしたパチンコ機が提案されている(例えば、特許文献１参照)。特許文献１の可動演出装置では、一端が回動自在に枢支されたアーム部材の延出端側に装飾部材を配設し、アーム部材を回転駆動することで装飾部材が図柄表示装置の前側を移動するよう構成されている。
【先行技術文献】
【特許文献】
【０００４】
【特許文献１】特開２００９−６６３０９号公報
【発明の概要】
【発明が解決しようとする課題】
【０００５】
前記特許文献１のように延出端側に装飾部材を配設したアーム部材を回動する構成では、装飾部材を直線的に移動させる場合に比べてアーム部材の短いストロークで装飾部材を大きく移動させることができる。しかしながら、装飾部材が待機位置と作動位置との間を移動する間に該装飾部材の姿勢は変化してしまい、装飾部材を常に同じ姿勢のまま移動させることはできなかった。
【０００６】
すなわち本発明は、従来の技術に係る遊技機に内在する前記課題に鑑み、これを好適に解決するべく提案されたものであって、可動体を姿勢変化させることなく大きく移動させるインパクトのある演出によって興趣を向上し得る遊技機を提供することを目的とする。
【課題を解決するための手段】
【０００７】
前記課題を解決するために、本願の請求項１に記載の発明では、
動作により演出を行う可動演出装置(N1,N2)を備えた遊技機において、
前記可動演出装置(N1,N2)は、
初期位置および移動位置の間を回動可能な作動部材(76)と、
前記作動部材(76)を初期位置および移動位置の間で移動させる移動機構(65)と、
前記作動部材(76)に配設され、初期位置および移動位置の間を作動部材(76)が移動する移動平面と交差する回転軸周りに回転可能な可動体(93)と、
前記作動部材(76)または可動体(93)に配設され、該可動体(93)を作動部材(76)に対して回転させる姿勢維持機構(82)とを備え、
前記姿勢維持機構(82)は、前記可動体(93)が前記初期位置での姿勢を維持するように前記作動部材(76)の移動に合わせて該可動体(93)を回転させるよう構成されたことを要旨とする。
【０００８】
請求項１の発明によれば、姿勢維持機構によって可動体が初期位置での姿勢を維持し得るよう構成したので、回動する作動部材の小さなストロークで可動体を大きく移動させることができ、可動体の大きな動きによってインパクトのある演出を行って興趣を向上し得る。また、移動する作動部材または可動体に姿勢維持機構を設けているので、該可動体の姿勢を維持するために直線ガイド等の案内部材を固定配置する必要はなく、案内部材が露出して見栄えが低下するのを考慮することなく可動体を大きく移動させて興趣を向上し得る。
【０００９】
請求項２に記載の発明では、前記可動体(93)は、前記作動部材(76)に対して前記移動平面に沿って該作動部材(76)の移動方向と交差する方向にスライド動作可能に配設され、
前記姿勢維持機構(82,96)は、前記可動体(93)が直線軌道上を移動するように前記作動部材(76)の移動に合わせて該可動体(93)をスライド動作させるよう構成されたことを要旨とする。
請求項２の発明によれば、作動部材を回動動作させても可動体を直線軌道上で移動させることができ、一定の姿勢の可動体が直線的に移動する動作演出によって興趣を向上し得る。
【００１０】
請求項３に記載の発明では、前記可動体(93)は、前側に臨む表示部(93a)に画像を表示可能な表示装置(93)であって、該表示装置(93)の前記表示部(93a)が前記初期位置および移動位置において前側から視認可能に構成されたことを要旨とする。
請求項３の発明によれば、一定の姿勢に維持して表示装置を移動させ得るので、表示部に表示される画像を表示装置の姿勢変化に合わせて適正な表示状態となるように制御する必要はなく、表示装置の表示制御を簡略化して制御負荷を抑えることができる。
【００１１】
請求項４に記載の発明では、前記可動体(93)は、前記作動部材(76)に回転可能に配設された可動台(88)と、該可動台(88)にスライド動作可能に配設されて前側に臨む表示部(93a)に画像を表示可能な表示装置(93)とを備え、
前記表示装置(93)の前記表示部(93a)が前記初期位置および移動位置において前側から視認可能に構成されると共に、
前記姿勢維持機構(82,96)は、前記作動部材(76)に配設されて該作動部材(76)に対して前記可動台(88)を回転動作させる回転駆動機構(82)と、前記可動台(88)に配設されて該可動台(88)に対して前記表示装置(93)をスライド動作させるスライド駆動機構(96)とを備えることを要旨とする。
請求項４の発明によれば、姿勢維持機構を構成する回転駆動機構およびスライド駆動機構を分散して配設したので、作動部材または可動体の構成が複雑化するのを抑制することができる。
【発明の効果】
【００１２】
本発明に係る遊技機によれば、可動体の姿勢を一定に維持したまま該可動体によるインパクトのある演出を行って興趣を向上し得る。
【図面の簡単な説明】
【００１３】
【図１】実施例に係るパチンコ機を示す正面図である。
【図２】実施例に係る遊技盤の正面図であって、第２表示装置が初期位置で基準姿勢となっている状態で示している。なお、枠状装飾体の透明壁を図示省略している。
【図３】実施例に係る第１および第２可動演出装置が配設されている状態での設置部材の正面図であって、第２表示装置が初期位置で基準姿勢となっている状態を示している。
【図４】実施例に遊技盤における第１可動演出装置の配設位置での要部縦断側面図である。
【図５】実施例に遊技盤における第２可動演出装置の配設位置での要部縦断側面図である。
【図６】実施例に係る第１可動演出装置を前側から見た概略斜視図である。
【図７】実施例に係る第１可動演出装置を後側から見た概略斜視図である。
【図８】実施例に係る第１可動演出装置における設置基体および移動機構を分解して前側から見た概略斜視図である。
【図９】実施例に係る第１可動演出装置における設置基体および移動機構を分解して後側から見た概略斜視図である。
【図１０】実施例に係る第１可動演出装置における作動部材、可動台および第２表示装置を分解して前側から見た概略斜視図である。
【図１１】実施例に係る第１可動演出装置における作動部材、可動台および第２表示装置を分解して後側から見た概略斜視図である。
【図１２】実施例に係る第１可動演出装置を設置基体に対する作動部材の軸支部で縦断した側面図である。
【図１３】実施例に係る第１可動演出装置を作動部材に対する可動台の軸支部で縦断した側面図である。
【図１４】実施例に係る第１可動演出装置の横断平面図である。
【図１５】実施例に係る第２可動演出装置を前側から見た概略斜視図である。
【図１６】実施例に係る第２可動演出装置を後側から見た概略斜視図である。
【図１７】実施例に係る第２可動演出装置を設置基体に対する作動部材の軸支部で縦断した側面図である。
【図１８】実施例に係る第２可動演出装置を作動部材に対する可動台の軸支部で縦断した側面図である。
【図１９】実施例に係る第２可動演出装置の横断底面図である。
【図２０】実施例に係る遊技盤の正面図であって、第２表示装置が第１移動位置で基準姿勢となっている状態で示している。なお、枠状装飾体の透明壁を図示省略している。
【図２１】実施例に係る遊技盤の正面図であって、第２表示装置が第２移動位置で傾斜姿勢となっている状態で示している。なお、枠状装飾体の透明壁を図示省略している。
【図２２】実施例に係る遊技盤の正面図であって、第２表示装置が第３移動位置で直立姿勢となっている状態で示している。なお、枠状装飾体の透明壁を図示省略している。
【図２３】実施例に係る配線支持部に配線巻き付け部材を取り付けて配線を巻く状況を示す説明図である。
【図２４】(ａ)は作動部材に対して第２表示装置が第１位置での配線の状態を示す説明図であり、(ｂ)は作動部材に対して第２表示装置が基準第２位置での配線の状態を示す説明図である
【図２５】実施例に係るパチンコ機の制御ブロック図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１５】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組み付けられると共に、遊技盤２０の後側に、図柄を変動表示可能な第１表示装置１７(図４,図５参照)が着脱し得るよう配設されている。また、中枠１２の前面側には、遊技盤２０を透視可能に保護する透明部材１３ａを窓部に備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１６】
前記第１表示装置１７は、後述する始動入賞口へのパチンコ球の入賞を契機として演出用の図柄(飾図という場合もある)を第１表示部１７ａに変動表示させる図柄変動演出を行うよう構成される。また第１表示装置１７では、図柄変動に関連して実行される各種の表示演出(リーチ演出、予告演出、報知演出等)を第１表示部１７ａに表示し得るようになっている。実施例では、前記第１表示装置１７として、各種図柄や表示演出に係る画像を表示可能な液晶パネルを収容ケースに収容した液晶表示装置が採用されるが、これに限られるものではなく、有機ＥＬ(Electro-Luminescence)を用いた表示装置、あるいはドラム式の表示装置やドットマトリックス式の表示装置等の各種図柄を停止および変動表示可能な従来公知の各種の表示装置を用いることができる。
【００１７】
前記前枠１３には、図１に示す如く、前記下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に配設された後述する枠状装飾体４２の左側の遊技領域２１ａをパチンコ球が流下する所謂「左打ち」と、該枠状装飾体４２の右側の遊技領域２１ａをパチンコ球が流下する所謂「右打ち」とを打ち分け得るようになっている。また、前枠１３の前部には、ＬＥＤ等の発光体による発光演出が可能なランプ装置１８や、音声や効果音を出力可能なスピーカ１９が配設されており、前記第１表示装置１７での図柄変動演出に合わせてランプ装置１８で発光演出を行ったりスピーカ１９で音声演出を行い得るよう構成されている。
【００１８】
(遊技盤２０について)
実施例の前記遊技盤２０は、図４,図５に示すように、パチンコ球が流下可能な遊技領域２１ａが前面側に形成された板状部材(遊技領域形成部材)２１から構成され、該板状部材２１の裏側には、当該板状部材２１との間に収容空間２７を画成する設置部材(収容空間画成部材)２２が配設されている。前記板状部材２１は、合成樹脂材やベニヤ材等から所定板厚の略矩形状に形成されており、図２に示す如く、前面(盤面)に配設された略円形状の案内レール２３によりパチンコ球が流下可能な遊技領域２１ａが画成されている。実施例の板状部材２１は、アクリル樹脂から形成された透明板であって、前記収容空間２７を板状部材２１の前面側から透視し得るようになっている。また、前記板状部材２１と設置部材２２との間の収容空間２７には、各種演出を行う可動演出装置Ｎ１,Ｎ２(後述)が設置されており、透明な板状部材２１を介して遊技盤２０の前面側から当該収容空間２７内の可動演出装置Ｎ１,Ｎ２を遊技者が目視し得るよう構成されている。なお、前記第１表示装置１７は、設置部材２２の裏側に取り付けられて、後述するように設置部材２２に設けた開口部(可視部)２２ａおよび枠状装飾体４２(後述)の開口部４２ａを介して遊技盤２０の前側に視認可能に臨むよう構成される。
【００１９】
前記案内レール２３は、図２に示すように、板状部材２１の左下部から右上部に至るよう左方向に膨出する円弧状に形成された外レール２４と、板状部材２１の右上部、右下部および左上部に至るよう右方向に膨出する円弧状に形成された内レール２５とから構成されている。前記内レール２５は、外レール２４の右上端部に連接して板状部材２１の右上部から下部に亘って配設され、左端縁が右方に凹む円弧状に形成された盤面飾り部材２５ａと、板状部材２１の下部から左上部に亘って配設されて盤面飾り部材２５ａの下端部に連接し、前記外レール２４の右方(内側)に離間して位置するレール部材２５ｂとから構成され、該外レール２４およびレール部材２５ｂにより１個のパチンコ球が通過可能な発射通路２６が画成されている。ここで、前記内レール２５を構成するレール部材２５ｂは、前記板状部材２１の左上部に開放端が臨むよう配置されて、外レール２４との間に遊技領域２１ａに開口する発射口を画成するよう構成され、前記打球発射装置から発射されたパチンコ球が発射通路２６の下方開口から飛翔して、当該発射口から遊技領域２１ａ内に打ち出されるようになっている。
【００２０】
前記板状部材２１には、前後に貫通する装着口が前記遊技領域２１ａ内の適宜位置に開設されて、各装着口に対して各種の遊技盤設置部品が配設されている。なお、実施例の遊技盤２０には、遊技盤設置部品として枠状装飾体４２、第１の始動入賞部２９、第２の始動入賞部３０、第１の特別入賞部３１、第２の特別入賞部３２、普通入賞部３３,３４、ゲート部３５等を設置する装着口が形成されている。そして、前記遊技盤２０の板状部材２１において遊技領域２１ａの最下部位置に、該遊技領域２１ａの最下部位置まで流下したパチンコ球を遊技盤２０の外部に排出するアウト口３６が開設されている。すなわち、前記打球発射装置から発射されて遊技領域２１ａを流下するパチンコ球が前記遊技盤設置部品に設けられた入球部(第１の始動入賞部２９、第２の始動入賞部３０、第１の特別入賞部３１、第２の特別入賞部３２、普通入賞部３３,３４、ゲート部３５等)に入球することにより、入球した入球部に応じた賞球の払い出しや図柄変動演出の実行等の所定の遊技が行われ、遊技領域２１ａの最下部まで流下したパチンコ球がアウト口３６を介して機外に排出されるよう構成される。なお、前記装着口の形成数は、板状部材２１に対して取り付けられる遊技盤設置部品の配設位置や配設数等に応じて適宜に決定される。
【００２１】
また、前記板状部材２１には、前記遊技領域２１ａ内に多数の遊技釘３７が設けられると共に、後述する枠状装飾体４２の左側方に、遊技領域２１ａを流下するパチンコ球の接触に伴って回転する回転案内部材３８が回転自在に支持されており、遊技釘３７や回転案内部材３８との接触によりパチンコ球の流下方向が不規則に変化するよう構成されている。前記回転案内部材３８は、所謂「風車」とも称される部材であって、該回転案内部材３８の回転に伴ってパチンコ球を弾くように左右方向へ放出する部材である。
【００２２】
実施例の前記板状部材２１には、図２に示すように、前記案内レール２３で囲まれた遊技領域２１ａの略中央の大部分が開口する装着口(開口部)２１ｂ(図４参照)に、前後に開口する枠状に形成された枠状装飾体４２が取り付けられ、該枠状装飾体４２の開口部４２ａの後方に、前記設置部材２２の開口部２２ａが位置するようになっている。すなわち、前記枠状装飾体４２の開口部４２ａの後方に前記第１表示装置１７の第１表示部１７ａが位置するよう構成されている。
【００２３】
また、前記板状部材２１には、前記枠状装飾体４２の下方位置(アウト口３６の直上位置)に形成された装着口(図示せず)に、遊技領域２１ａを流下するパチンコ球が入賞可能な第１の始動入賞部２９が配設されている。第１の始動入賞部２９は、パチンコ球が入賞可能な第１始動入賞口が遊技領域２１ａ内で常に上方開口する常時開放型の入賞部とされ、遊技盤２０の遊技領域２１ａを流下するパチンコ球の流下態様に応じて任意のタイミングで第１始動入賞口にパチンコ球が入球(入賞)し得るよう構成されている。また、前記板状部材２１には、前記第１の始動入賞部２９の左側方(枠状装飾体４２の左下方位置)に形成された装着口(図示せず)に、遊技領域２１ａを流下するパチンコ球が入賞可能な普通入賞部３３が複数設けられた普通入賞ユニット３９が配設されている。なお、各普通入賞部３３は、前記第１の始動入賞部２９と同様に、パチンコ球が入賞可能な普通入賞口が遊技領域２１ａ内で常に上方開口する常時開放型の入賞部とされ、遊技盤２０の遊技領域２１ａを流下するパチンコ球の流下態様に応じて任意のタイミングで普通入賞口にパチンコ球が入球(入賞)し得るようになっている。
【００２４】
前記板状部材２１には、前記枠状装飾体４２の右側をパチンコ球が流下する遊技領域２１ａに、複数の装着口(図示せず)が上下離間して開設されており、上側の装着口から下側の装着口の順で、ゲート部３５、複合入賞ユニット４０が配設されている。前記ゲート部３５は、パチンコ球が通過可能なゲート入口およびゲート出口が遊技領域２１ａ内で常に上下に開口する常時開放型の入球部とされ、遊技盤２０の遊技領域２１ａを流下するパチンコ球の流下態様に応じて任意のタイミングでゲート入口をパチンコ球が入球(通過)して、ゲート出口を介して遊技領域２１ａに排出されるようになっている。前記複合入賞ユニット４０は、第２の始動入賞部３０、第１の特別入賞部３１および普通入賞部３４を備えている。
【００２５】
前記複合入賞ユニット４０は、第２の始動入賞部３０、第１の特別入賞部３１および普通入賞部３４を備えている。第２の始動入賞部３０は、パチンコ球が入賞可能な第２始動入賞口を駆動手段の駆動に伴って開放可能に開閉部材３０ａで閉鎖する開閉型の入賞部とされており、遊技盤２０の遊技領域２１ａを流下するパチンコ球の流下態様および駆動手段の駆動による開閉部材３０ａの開放動作タイミングに応じて第２始動入賞口にパチンコ球が入賞し得るよう構成されている。また、第１の特別入賞部３１は、パチンコ球が入賞可能な特別入賞口を駆動手段の駆動に伴って開放可能に開閉部材３１ａで閉鎖する開閉型の入賞部とされており、遊技盤２０の遊技領域２１ａを流下するパチンコ球の流下態様および図示しない駆動手段の駆動による開閉部材３１ａの開放動作タイミングに応じて特別入賞口にパチンコ球が入賞し得るよう構成されている。また、複合入賞ユニット４０の普通入賞部３４は、前記普通入賞ユニット３９に設けられた普通入賞部３３と同様に、パチンコ球が入賞可能な普通入賞口が遊技領域２１ａ内で常に上方開口する常時開放型の入賞部とされ、遊技盤２０の遊技領域２１ａを流下するパチンコ球の流下態様に応じて任意のタイミングで普通入賞口にパチンコ球が入球(入賞)し得るようになっている。
【００２６】
ここで、実施例のパチンコ機１０では、前記枠状装飾体４２の右側に画成されている遊技領域２１ａに臨むように、該枠状装飾体４２に第２の特別入賞部３２が配設されている。この第２の特別入賞部３２は、パチンコ球が入賞可能な特別入賞口を駆動手段の駆動に伴って開放可能に開閉部材３２ａで閉鎖する開閉型の入賞部とされており、遊技盤２０の遊技領域２１ａを流下するパチンコ球の流下態様および図示しない駆動手段の駆動による開閉部材３２ａの開放動作タイミングに応じて特別入賞口にパチンコ球が入賞し得るよう構成されている。
【００２７】
前記第１の始動入賞部２９、第２の始動入賞部３０、第１の特別入賞部３１、第２の特別入賞部３２および普通入賞部３３,３４の夫々は、各対応の入賞口に入賞したパチンコ球を検出する入賞検出センサ(図示せず)を備えており、各入賞検出センサがパチンコ機１０の裏側に配設された制御手段１１２(図２５参照)に配線接続されている。そして、第１および第２の始動入賞部２９,３０が備える入賞検出センサの何れかによるパチンコ球の検出(パチンコ球を検出した検出信号の入力)に伴い特図当り判定条件(当り判定条件)が成立するようになっている。特図当り判定条件が成立することで、特図当り(大当りや小当り)を生起させるか否かに関する特図当り判定が行われ、該判定結果が当りであった場合に、前記第１表示装置１７で行われる図柄変動演出の結果として所定の当り表示(例えば同一図柄の３つ揃い等)で飾図が確定停止表示されて、前記第１の特別入賞部３１の開閉部材３１ａまたは第２の特別入賞部３２の開閉部材３２ａを開放する遊技者に有利な当り遊技が付与されるよう構成されている。なお、第１の特別入賞部３１および第２の特別入賞部３２は、大当り遊技が付与される場合に、決定された大当りの種類に応じて特別入賞部３１,３２における開閉部材３１ａ,３２ａの開放動作パターンが異なるよう設定される。また、実施例のパチンコ機１０では、前記入賞検出センサがパチンコ球を検出することで賞球払出条件が成立するよう構成されており、当該賞球払出条件の成立に伴って制御手段１１２が図示しない払出制御装置に制御信号を出力して、所定数の賞球が前記上球受け皿１４または下球受け皿１５に払い出されるようになっている。
【００２８】
前記ゲート部３５には、ゲート入口に入球して当該ゲート部３５を通過するパチンコ球を検出するゲートセンサ(図示せず)が設けられている。このゲートセンサは、パチンコ機１０の裏側に配設された制御手段１１２に配線接続されており、該ゲートセンサから制御手段１１２への球検出信号の入力(すなわちパチンコ球の検出)に伴って普図当り判定条件が成立するようになっている。そして、普図当り判定条件の成立に伴って普図当りを生起させるか否かに関する普図当り判定が行われ、該判定結果が当りの判定であった場合に、前記第２の始動入賞部３０の開閉部材３０ａが開放作動されて、当該第２始動入賞口が開放するよう構成されている。なお、実施例では、前記ゲートセンサがパチンコ球を検出することによっては賞球払出条件が成立しないよう設定されており、パチンコ球のゲート部３５の通過に伴って賞球が払い出されないようになっている。
【００２９】
(枠状装飾体４２について)
次に、前記枠状装飾体４２について詳細に説明する。前記枠状装飾体４２は、図２,図４,図５に示す如く、前記板状部材２１に開設された枠状装飾体４２が配設される装着口２１ｂの内側に沿って延在する環状に形成された枠状基部４３と、該枠状基部４３に設けられて前記板状部材２１の前面より前方に突出し、前記遊技領域２１ａと第１表示装置１７の第１表示部１７ａを区切る庇状部４４と、該庇状部４４の後縁から外方に延出する薄板状の台板部４５とを備える。そして、前記枠状基部４３を装着口に挿入すると共に台板部４５を板状部材２１の前面に当接した状態で、該台板部４５をネジ等の固定手段で板状部材２１に固定することで、枠状装飾体４２が板状部材２１に取り付けられて、該枠状装飾体４２の外側、具体的には庇状部４４と案内レール２３との間にパチンコ球が流下する遊技領域２１ａが画成されるようになっている。なお、枠状装飾体４２を板状部材２１に取り付けた状態で、庇状部４４の後端縁から外方に延出する台板部４５が板状部材２１の前面に沿って延在して、該台板部４５の前側をパチンコ球が通り得るよう構成される。また、枠状装飾体４２は、全体が透明な合成樹脂製とされており、透明な板状部材２１の前側に台板部４５を重ねた状態で、該台板部４５および板状部材２１を介して裏側を透視可能に構成されている。
【００３０】
前記枠状装飾体４２の庇状部４４は、枠状装飾体４２(台板部４５)の左側縁の略中間位置から上縁および右下縁に亘って連続して延在するよう設けられており、前記第１表示装置１７における第１表示部１７ａの前面側を横切ってパチンコ球が流下(落下)するのを規制している。また庇状部４４は、最上部位置から左右方向に下方傾斜するよう形成されて、遊技領域２１ａに打ち出されたパチンコ球が庇状部４４上で滞ることなく枠状装飾体４２の左側方または右側方へ誘導案内されるよう形成されている。
【００３１】
前記枠状装飾体４２には、図２に示す如く、前記開口部４２ａの下側(枠状装飾体４２の内周下縁部)に、ステージ４７が配設されると共に、開口部４２ａの左側に、前記遊技領域２１ａに開口して該遊技領域２１ａを流下するパチンコ球を枠状装飾体４２の内側(ステージ４７)に取り込む球導入部４８が設けられ、該球導入部４８がステージ４７に連通するよう構成される。そして、球導入部４８からステージ４７に通出されたパチンコ球は、ステージ４７上を左右に転動した後に、前記第１始動入賞口が設けられている遊技領域２１ａに排出される。また、枠状装飾体４２には、前記ステージ４７の形成位置の右上側に前記第２の特別入賞部３２が設けられており、該第２の特別入賞部３２の特別入賞口および開閉部材３２ａが、前記ゲート部３５および複合入賞ユニット４０の間の遊技領域２１ａに臨んでいる。
【００３２】
前記ステージ４７の後端縁には、左右方向の全長に亘って上側に向けて所定高さで立上がる透明壁４１が設けられ(図５参照)、ステージ４７上を転動するパチンコ球が第１表示装置１７の第１表示部１７ａ側に移動するのを該透明壁４１で防止している。また、透明壁４１の上端縁に、前記前枠１３における透明部材１３ａの裏面に近接する位置(透明部材１３ａとの間をパチンコ球が通過できない隙間となる位置)まで張り出す張出部４１ａが設けられ、遊技釘３７に接触して跳ねてステージ４７に飛び込むパチンコ球が第１表示部１７ａ側に移動するのを該張出部４１ａで防止している。
【００３３】
前記枠状装飾体４２には、図２に示す如く、パチンコ機１０のモチーフとなる意匠が施された複数の装飾部品４６が、前記庇状部４４の内周縁部に設けられている。そして、本実施例では、装飾部品４６、庇状部４４および透明壁４１の張出部４１ａによって、前記第１表示装置１７の第１表示部１７ａを前側に臨ませる開口部４２ａが画成される。
【００３４】
(設置部材２２について)
前記設置部材(設置部)２２は、図３,図４,図５に示す如く、前記板状部材２１の外郭形状より小さい略矩形状に形成された背面板４９と、該背面板４９の外周縁部から前方に突出する外周壁部５０とから前側に開口した箱状に形成されて、該外周壁部５０の開口前端部を板状部材２１の裏面に当接させた状態で、当該板状部材２１と設置部材２２とがネジ止め固定される。そして、前記設置部材２２において前記板状部材２１との間に画成される前記収容空間２７に、動作により演出を行う複数の可動演出装置Ｎ１,Ｎ２が設置されて、設置部材２２を基材とする１つのユニットとして扱い得るようになっている。前記設置部材２２の背面板４９には、前記枠状装飾体４２の開口部４２ａと前後に整列する位置に、略矩形状の開口部２２ａが前後に開口するよう開設される。そして、背面板４９の裏面に配設した前記第１表示装置１７の第１表示部１７ａが、前記開口部２２ａおよび開口部４２ａを介して板状部材２１の前側に臨むようになっている。なお、以下の説明では、設置部材２２の背面板４９について、開口部２２ａに対する上下左右の各部位を、上板部４９ａ、下板部４９ｂ、左板部４９ｃ、右板部４９ｄと指称して区別する場合もある。
【００３５】
(可動演出装置Ｎ１,Ｎ２について)
図３に示すように、前記設置部材２２の背面板４９における開口部２２ａの上側前面(上板部４９ａおよび右板部４９ｄの前面)に、第１可動演出装置Ｎ１が配設されると共に、背面板４９における開口部２２ａの下側前面(下板部４９ｂおよび左板部４９ｃの前面)に、第２可動演出装置Ｎ２が配設されている。第１可動演出装置Ｎ１および第２可動演出装置Ｎ２は、設置部材２２に対する配設位置が異なるだけで基本的な構成は同じであるので、第１可動演出装置Ｎ１の構成について説明し、第２可動演出装置Ｎ２については第１可動演出装置Ｎ１と同じ部材に同一の符号を付して詳細説明は省略する。但し、第２可動演出装置Ｎ２に特有の構成や第１可動演出装置Ｎ１と異なる部分については個別に説明する。なお、第１および第２可動演出装置Ｎ１,Ｎ２の各構成部材について、第１可動演出装置Ｎ１の構成部材の部材名の前に「上」を付すと共に、第２可動演出装置Ｎ２の構成部材の部材名の前に「下」を付して区別する場合もある。
【００３６】
(第１可動演出装置Ｎ１について)
前記第１可動演出装置Ｎ１は、背面板４９の板面に沿って往復移動する作動部材７６と、該作動部材７６に動作可動に配設されて画像を表示可能な第２表示装置(可動体)９３とを備える(図６,図７参照)。作動部材７６は、後述する移動機構６５によって前記枠状装飾体４２における開口部４２ａの縁部側(装着口２１ｂの縁部側)の初期位置(図２,図３)と、該初期位置より開口部中央側の移動位置(図２０〜図２２)との間を往復移動するよう構成される。また、作動部材７６に対して第２表示装置９３は、該作動部材７６が初期位置および移動位置の間を移動する移動平面に沿って該作動部材７６の移動方向と交差する方向にスライド動作可能に構成されている。実施例では、第２表示装置９３は、前記板状部材２１の後側において前記第１表示装置１７の第１表示部１７ａに沿ってスライド動作し得るようになっている。また実施例では、前後方向の軸回りに回動する作動部材７６に対し、前記移動平面と交差する回転軸回り(前後方向の軸回り)に回動する動作を第２表示装置９３が行い得るよう構成されている。なお、第１可動演出装置Ｎ１の説明において、特に断りのない限り、図２に示すように作動部材７６が初期位置で、第２表示装置９３の長手方向が設置部材２２の開口部２２ａの上縁と平行(略水平)に延在する基準姿勢となっている状態で、「左」、「右」、「上」、「下」を指称する。
【００３７】
(設置基体６０について)
前記第１可動演出装置Ｎ１は、前記背面板４９の前面における右上隅部に配設されて、前記作動部材７６が移動自在に支持される設置基体６０を備える。設置基体６０は、図８,図９に示す如く、設置部材２２に取り付けられるベース体６１と、該ベース体６１の前面に取り付けられるカバー体６２とから構成される。ベース体６１とカバー体６２との間に、前後方向に延在する第１支持軸６３が設けられ、該第１支持軸６３に前記作動部材７６の長手方向の一端部が回動自在に支持されている(図１２,図１４参照)。また設置基体６０に、作動部材７６を初期位置と移動位置との間で移動(揺動)させる移動機構６５が配設されている。
【００３８】
前記第１支持軸６３は、図１２に示す如く、ベース体６１の裏面に配設された平板状の補強板金６４に突設されて、該第１支持軸６３におけるベース体６１を貫通した突出端部がカバー体６２に支持されている。そして、作動部材７６の後述する可動基部７９に形成されて前後に貫通する軸孔７９ａに第１支持軸６３が挿通されて、ベース体６１とカバー体６２との間で作動部材７６の可動基部７９が回動自在に支持される。また、べース体６１における可動基部７９の後面との対向面部に、図８に示す如く、前側に開口する複数の後凹部６１ａが、第１支持軸６３を中心とする所定直径の円に沿って周方向に等間隔で設けられている。各後凹部６１ａには後球体６１ｂが転動自在に遊嵌されており、該後球体６１ｂの後凹部６１ａから前方に突出する部分が可動基部７９の後面に転動自在に接触して支持するよう構成されている。なお、前記ベース体６１には、第１支持軸６３から径方向に離間する位置にバネ用係止部６１ｃが設けられ、該バネ用係止部６１ｃに後述する捻りコイルバネ８０の一方の係合片が係止されるようになっている。
【００３９】
(移動機構６５について)
前記移動機構６５は、図８,図９に示す如く、前記設置基体６０の前面に出力軸を後向きにして配設された駆動手段としての第１駆動モータ６６と、設置基体６０に配設されて該第１駆動モータ６６の回転力を作動部材７６に伝達する第１伝達機構６７とを備える。そして、第１駆動モータ６６を正転方向および逆転方向に回転駆動することで、作動部材７６が前記第１支持軸６３を中心として初期位置と移動位置との間を揺動するよう構成される。なお、第１駆動モータ６６の回転方向について、作動部材７６を初期位置から移動位置へ移動させる方向を正転方向、作動部材７６を移動位置から初期位置へ移動させる方向を逆転方向と指称する場合もある。
【００４０】
前記第１伝達機構６７は、前記第１駆動モータ６６の出力軸に連結された第１駆動歯車６８と、該第１駆動歯車６８に従動歯車６９を介して噛合する第１作動歯車７０と、該第１作動歯車７０と作動部材７６の可動基部７９とを連繋する連繋部材７１とを備える。この連繋部材７１は、第１作動歯車７０の偏心位置に一端が回動自在に連結されると共に、他端が可動基部７９に設けられた後述する延出部７９ｂに回動自在に連結されて、第１作動歯車７０の回転に伴って移動する連繋部材７１によって作動部材７６を第１支持軸６３を中心として揺動させるよう構成される。
【００４１】
図８に示す如く、前記第１作動歯車７０に第１検出片７０ａが設けられ、該第１検出片７０ａは、前記設置基体６０(具体的にはカバー体６２)に配設された第１検出手段７２によって検出可能に構成されている。第１検出手段７２は、後述する制御手段１１２に配線接続されており(図２５参照)、該第１検出手段７２からの検出信号の入力に基づいて制御手段１１２が第１駆動モータ６６を駆動制御し得るよう構成される。前記第１検出片７０ａは、初期位置において第１検出手段７２で検出されて、該第１検出手段７２の検出信号の入力に基づいて第１駆動モータ６６を制御手段１１２が停止制御することで、作動部材７６を初期位置に停止保持し得るよう構成される。第１駆動モータ６６としてステッピングモータが採用され、該第１駆動モータ６６の駆動によって初期位置から移動を開始した作動部材７６を、移動パルス信号の制御によって移動位置で停止するように第１駆動モータ６６を制御手段１１２で駆動制御し得るよう構成されている。また制御手段１１２は、第１駆動モータ６６に供給する移動パルス信号によって作動部材７６の現在位置(初期位置からの傾動角度)を認識し得るよう構成されている。
【００４２】
ここで、前記第１可動演出装置Ｎ１の作動部材７６は、初期位置では、図３に示す如く、前記設置部材２２における上板部４９ａの前側において前記開口部２２ａの上縁に沿って該作動部材７６の長手方向が延在する略水平な姿勢に保持され、該初期位置から移動機構６５によって第１支持軸６３を中心として傾動された作動部材７６は、移動位置では、図２０,図２１,図２２に示す如く、延出端が開口部２２ａ(枠状装飾体４２の開口部４２ａ)の中央側を向く傾斜姿勢(具体的には可動基部７９を基準として左下がりの傾斜姿勢)となるよう設定される。なお、実施例では、作動部材７６は３つの移動位置で停止し得るよう構成されており、図２０に示すように初期位置に対して第１傾斜角度で傾斜する移動位置を第１移動位置、図２１に示すように初期位置に対して第２傾斜角度で傾斜する移動位置を第２移動位置、図２２に示すように初期位置に対して第３傾斜角度で傾斜する移動位置を第３移動位置として区別する場合がある。また、実施例では、第１傾斜角度、第２傾斜角度、第３傾斜角度の順で初期位置に対する角度が大きくなるよう設定されている。
【００４３】
前記ベース体６１には、上縁部から前方に突出する基板保持壁６１ｄが設けられ、該基板保持壁６１ｄに、後述する制御手段１１２に接続する第１中継基板７３が、板面を上下に向けた姿勢で配設されている。この第１中継基板７３には、前記第２表示装置９３に接続するフラットケーブル７４の一端が接続されるコネクタ７３ａが、差込口を板面(実装面)に沿って右側方を向くように開口した状態で配設されている。そして、コネクタ７３ａに一端が差込み接続されたフラットケーブル７４は、幅方向を前記第１支持軸６３の軸方向に沿う姿勢(実施例では幅方向が前後方向を向く姿勢)で前記作動部材７６の内部に引き込まれるよう構成される。実施例では、前記連繋部材７１の上側に第１中継基板７３が位置して、前記コネクタ７３ａに接続するフラットケーブル７４が連繋部材７１の上側を引き回された後に作動部材７６の内部に引き込まれるよう構成される。また、フラットケーブル７４におけるコネクタ７３ａと作動部材７６との間の部位は、連繋部材７１に配設されたハーネス保持部材７５によって連繋部材７１の外面に沿って延在するように移動可能に保持されるようになっている。
【００４４】
(作動部材７６について)
前記作動部材７６は、図１０,図１１に示す如く、前記第１支持軸６３の径方向に延在する長尺な前壁７７ａの外周縁から後側に壁部７７ｂを突設したトレー状の前半体７７と、該前半体７７の前壁７７ａと対向する後壁７８ａの外周縁から前側に壁部７８ｂを突設したトレー状の後半体７８とを、両壁部７７ｂ,７８ｂの突出端同士を当接した状態でネジ止め固定することで構成される。この作動部材７６における長手方向の一端部に、前記第１支持軸６３が挿通される軸孔７９ａが形成された可動基部７９が設けられ、当該作動部材７６は、前記設置基体６０に対して可動基部７９の軸孔７９ａに第１支持軸６３が挿通されて回動自在に支持される(図１２参照)。また可動基部７９には、軸孔７９ａ(第１支持軸６３)の径方向に延在する延出部７９ｂが設けられており、該延出部７９ｂに前記連繋部材７１の他端部が回動自在に連結されている。すなわち、連繋部材７１は、前記第１作動歯車７０における偏心位置に一端が連結されると共に、作動部材７６の揺動中心となる第１支持軸６３に対する偏心位置に他端が連結されている。また、前記可動基部７９を画成する側壁(具体的には前後の半体７７,７８の壁部７７ｂ,７８ｂ)に、前記第１支持軸６３を中心とする円の接線方向に開口する導入口７９ｃが形成されて、前記フラットケーブル７４が該導入口７９ｃから作動部材７６の内部に引き込まれるよう構成される(図６参照)。
【００４５】
前記可動基部７９における前記カバー体６２の後面との対向面部に、図８,図１２に示す如く、前側に開口する複数の前凹部７９ｆが、軸孔７９ａ(第１支持軸６３)を中心とする所定直径の円に沿って周方向に等間隔で設けられている。各前凹部７９ｆには前球体７９ｇが転動自在に遊嵌されており、該前球体７９ｇの前凹部７９ｆから前方に突出する部分がカバー体６２の後面に転動自在に接触して支持されるよう構成されている。
【００４６】
前記可動基部７９の内部に、前記軸孔７９ａと同心円の筒状に形成されたバネ支持部７９ｄが設けられており、コイル部にバネ支持部７９ｄが挿通されるように可動基部７９内に配設した捻りコイルバネ８０の一方の係合片が、可動基部７９を画成する側壁に係止されている。この捻りコイルバネ８０の他方の係合片は、可動基部７９の側壁に形成されて作動部材７６の長手方向に延在する長孔７９ｅ(図１２参照)から外方に延出し、該係合片の延出部が前記バネ用係止部６１ｃに係止されている。第１可動演出装置Ｎ１では、作動部材７６に配設される捻りコイルバネ８０は、該作動部材７６を移動位置から初期位置に向けて付勢するよう構成されている。すなわち、第１可動演出装置Ｎ１では、作動部材７６を下方の移動位置から上方の初期位置に移動する際に前記第１駆動モータ６６に加わる負荷を、捻りコイルバネ８０の付勢力によって軽減するように構成されている。
【００４７】
前記作動部材７６における可動基部７９から離間する端部(以後延出端部と指称する場合もある)の前側に、前記第２表示装置９３をスライド動作自在に備えた可動台８８が、前記第１支持軸６３の軸方向と平行な軸回りに回動自在に支持されている。作動部材７６を構成する前記前半体７７の前壁７７ａにおける延出端部に円形の開口部７７ｃが設けられると共に、該開口部７７ｃに対応する前記後半体７８の後壁７８ａに、前後方向に貫通する軸孔８１ａが形成された軸支部８１が前方に向けて突設されている(図１０,図１３参照)。そして、軸支部８１の軸孔８１ａに後側から挿通されて配設された第２支持軸８９の該軸支部８１ａから前方に突出する軸端部に、可動台８８が回動自在に支持されるよう構成される。また、作動部材７６には、可動台８８を作動部材７６に対して回転させる回転駆動機構８２が配設されている。
【００４８】
(回転駆動機構８２について)
前記回転駆動機構８２は、図１０,図１１に示す如く、前記作動部材７６における可動基部側の端部前面に出力軸を後向きにして配設された駆動手段としての第２駆動モータ８３と、作動部材７６の内部に配設されて該第２駆動モータ８３の回転力を前記可動台８８に伝達する第２伝達機構８４とを備える。第２伝達機構８４は、第２駆動モータ８３の出力軸に連結された第２駆動歯車８５と、作動部材７６に回動自在に支持されて相互に噛合する複数の従動歯車８６とを備え、一の従動歯車８６が第２駆動歯車８５に噛合すると共に別の従動歯車８６が前記可動台８８に一体的に配設された後述する第２作動歯車９０に噛合するよう構成される。すなわち、第２駆動モータ８３を正転方向および逆転方向に回転駆動することで、第２作動歯車９０に噛合する従動歯車８６の回転によって該第２作動歯車９０と共に可動台８８(第２表示装置９３)が作動部材７６に対して回転するようになっている。
【００４９】
図１１に示す如く、前記第２作動歯車９０に第２検出片９０ａが設けられ、該第２検出片９０ａは、前記作動部材７６(具体的には後半体７８)に配設された第２検出手段８７によって検出可能に構成されている。第２検出手段８７は、後述する制御手段１１２に配線接続されており(図２５参照)、該第２検出手段８７からの検出信号の入力に基づいて制御手段１１２が第２駆動モータ８３を駆動制御し得るよう構成される。前記第２検出片９０ａは、作動部材７６に対する可動台８８(第２表示装置９３)の第１位置において第２検出手段８７で検出されて、該第２検出手段８７の検出信号の入力に基づいて第２駆動モータ８３を制御手段１１２が停止制御することで、可動台８８(第２表示装置９３)を第１位置に停止保持し得るよう構成される。第２駆動モータ８３としてステッピングモータが採用され、該第２駆動モータ８３の駆動によって第１位置から移動を開始した可動台８８(第２表示装置９３)を、移動パルス信号の制御によって第２位置で停止するように第２駆動モータ８３を制御手段１１２で駆動制御し得るよう構成されている。また制御手段１１２は、第２駆動モータ８３に供給される移動パルス信号によって作動部材７６に対して相対的な位置が変化する可動台８８(第２表示装置９３)の現在位置を認識し得るよう構成されている。
【００５０】
ここで、前記作動部材７６に対する可動台(第２表示装置９３)の第１位置とは、該作動部材７６が初期位置にある姿勢に対して第２表示装置９３が後述する基準姿勢となっている位置である。また、作動部材７６に対する可動台(第２表示装置９３)の第２位置とは、該作動部材７６が第１移動位置にある姿勢に対して第２表示装置９３が基準姿勢(図２参照)となっている位置、第２移動位置にある姿勢に対して第２表示装置９３が後述する傾斜姿勢(図２１参照)となっている位置、および第３移動位置にある姿勢に対して第２表示装置９３が後述する直立姿勢(図２２参照)となっている位置である。すなわち、第１位置と第２位置とでは、作動部材７６に対する第２表示装置９３の相対的な角度姿勢が異なっている。また、実施例では、作動部材７６の３つの移動位置に対応して３つの第２位置が設定されているので、作動部材７６が第１移動位置にある姿勢に対して基準姿勢となっている第２表示装置９３を作動部材７６に対する基準第２位置と指称し、作動部材７６が第２移動位置にある姿勢に対して傾斜姿勢となっている第２表示装置９３を作動部材７６に対する傾斜第２位置と指称し、作動部材７６が第３移動位置にある姿勢に対して直立姿勢となっている第２表示装置９３を作動部材７６に対する直立第２位置と指称して区別する場合がある。
【００５１】
(可動台８８について)
前記可動台８８は、図１０,図１１に示す如く、平板状の部材であって、該可動台８８の前側に前記第２表示装置９３が前記移動平面に沿って移動自在に配設されている。また可動台８８には、作動部材７６との対向面部に第２作動歯車９０が一体的に回転するように設けられている。この第２作動歯車９０の中心に軸孔９０ｂが設けられており、該軸孔９０ｂに、前記第２支持軸８９の軸端部が回動自在に挿通されて、可動台８８は作動部材７６の前側で該作動部材７６に対して第２支持軸８９を中心として回動自在に支持される。また、第２作動歯車９０が、図１４に示す如く、前記従動歯車８６に噛合するよう構成されている。
【００５２】
前記可動台８８における作動部材７６との対向面部に、図１１,図１３に示す如く、後側に開口する複数の凹部８８ａが、第２支持軸８９を中心として第２作動歯車９０より大きな直径の円に沿って周方向に等間隔で設けられている。各凹部８８ａには球体８８ｂが転動自在に遊嵌されており、該球体８８ｂの凹部８８ａから後方に突出する部分が作動部材７６の前面(具体的には前壁７７ａの前面)に転動自在に接触して支持されるよう構成されている。
【００５３】
ここで、前記可動台８８の裏面に、該可動台８８に対して相対的に回転する前記作動部材７６の軌道上に、前記作動部材７６に対する可動台８８(第２表示装置９３)の第１位置において作動部材７６の外側面に当接する第１ストッパ８８ｃが設けられている。また、可動台８８の裏面に、第１ストッパ８８ｃから離間する作動部材７６の軌道上に第２ストッパ８８ｄが設けられている。この第２ストッパ８８ｄは、作動部材７６に対して前記基準第２位置から傾斜第２位置に向けて回転した可動台８８が該傾斜第２位置を越えて前記た直立第２位置まで回転した際に可動部材７６の外側面に第２ストッパ８８ｄが当接して、該可動台８８を直立第２位置に保持し得るように構成されている。
【００５４】
前記可動台８８には、図１３に示す如く、下側の端縁(第２表示装置９３の後述する基準面Ｆ側の端縁)に、後方に延出する覆い壁９１が設けられている。この覆い壁９１は、可動台８８の裏側に配設された前記作動部材７６の後方への突出寸法と同等の長さで後方に突出して、該作動部材７６と可動台８８との支持部分が前側から視認されるのを防ぐようになっている。また可動台８８には、前記覆い壁９１が設けられる端縁に沿って延在する発光基板(電気部品)９２が、可動台８８の前面から前方に突出するように設けられている。この発光基板９２の下面に、ＬＥＤ等の発光体９２ａが複数実装されている。また、発光基板９２における可動台８８に対する第２表示装置９３のスライド動作方向の長さは、第２表示装置９３の後述する収容ケース９５に設けられた収容部９５ａの長さより短かく設定されて、可動台８８に対して第２表示装置９３がスライド動作した際に該発光基板９２が収容ケース９５に干渉してスライド動作が阻害されないよう構成される。
【００５５】
(第２表示装置９３について)
前記可動台８８に配設される前記第２表示装置９３は、図１０,図１１に示す如く、各種画像を表示可能な液晶パネル９４を収容ケース９５に収容した液晶表示装置が採用され、収容ケース９５に収容された液晶パネル９４は、該収容ケース９５に形成した開口部から前側に臨むよう構成される。以後、液晶パネル９４における収容ケース９５の開口部から前側に臨んで画像が表示される部位を第２表示部(表示部)９３ａと指称する。そして、第２表示装置９３では、後述する制御手段１１２の制御下に第２表示部９３ａで各種演出に係る画像を表示し得るよう構成されている。すなわち、第２表示装置９３では、前記始動入賞口へのパチンコ球の入賞を契機として第１表示装置１７で実行される図柄変動演出と関連する演出や、該図柄変動演出とは別の演出を表示し得る他、客寄せのためのデモンストレーション演出(デモ演出)等も表示し得るよう構成される。図柄変動演出と関連した表出演出としては、例えば、特図当り抽選や普図当り抽選に当選する期待度等を示唆する予告演出や、該特図当り抽選や普図当り抽選の結果を報知する報知演出等が挙げられる。なお、第２表示装置９３は、第１表示装置１７と同様に、液晶表示装置に限られるものではなく、有機ＥＬ(Electro-Luminescence)等、各種画像を表示可能なその他の表示原理が異なる各種装置を用いることができる。なお、前記収容ケース９５は、図１０,図１１に示す如く、前面に装飾が施された枠状の前部材１１３と、該前部材１１３との間で前記液晶パネル９４を挟持する後部材１１４とから構成されている。
【００５６】
前記第２表示装置９３は、外形が矩形状に形成されて、図２に示す如く、前記作動部材７６の初期位置では長手辺が前記設置部材２２の開口部２２ａの上縁と平行(略水平)に延在する基準姿勢に保持されている。また、第１可動演出装置Ｎ１の第２表示装置９３は、作動部材７６の初期位置では前記第２表示部９３ａが前記枠状装飾体４２の開口部４２ａの上縁側(板状部材２１における装着口２１ｂの縁部側)において、該第２表示部９３ａの略全体が開口部４２ａ内に位置するよう構成される(図４参照)。すなわち、第１可動演出装置Ｎ１の第２表示装置９３は、前記作動部材７６の初期位置において第２表示部９３ａの全体が枠状装飾体４２の開口部４２ａに露出して遊技盤２０の前側から視認し得るようになっている。また、第１可動演出装置Ｎ１の第２表示装置９３は、作動部材７６が移動位置に移動することで開口部４２ａの中央側(装着口２１ｂ内)に移動した位置においても、該第２表示部９３ａは全体が枠状装飾体４２の開口部４２ａを介して前側から視認し得るよう構成される(図２０,図２１,図２２参照)。
【００５７】
ここで、前記可動台８８に配設される第２表示装置９３は、該可動台８８と一体的に回転するよう構成されており、可動台８８を回転駆動機構８２によって回動することで、第２表示装置９３は、初期位置の作動部材７６に対して該作動部材７６の長手方向と該第２表示装置９３の長手辺とが略平行となる基準姿勢(図２参照)、第１移動位置の作動部材７６に対して該作動部材７６の長手方向と該第２表示装置９３の長手辺とが所定の傾斜角度で交差する基準姿勢(図２０参照)、第２移動位置の作動部材７６に対して該作動部材７６の長手方向と該第２表示装置９３の長手辺とが略直交するよう該長手辺が右下がりに傾斜する傾斜姿勢(図２１参照)、および第３移動位置の作動部材７６に対して該作動部材７６の長手方向と該第２表示装置９３の長手辺とが所定の傾斜角度で交差するよう該長手辺が略鉛直となる直立姿勢(図２２参照)の間で姿勢変化し得るよう構成される。なお、作動部材７６の長手方向とは、実施例では設置基体６０に対する作動部材７６の回転中心(第１支持軸６３)と作動部材７６に対する可動台８８の回転中心(第２支持軸８９)とを通る線と平行な方向である。
【００５８】
前記収容ケース９５の下端部には、図１３に示す如く、後方に開口して左右方向(スライド動作方向)に延在する収容部９５ａが設けられており、該収容部９５ａに、前記可動台８８に設けられた発光基板９２が後方から収容されるよう構成される。この収容部９５ａを画成する下壁(上下の第２表示装置９３,９３が集合状態となった状態での対向端部である基準面Ｆ)に光拡散処理が施されており、収容された発光基板９２の発光体９２ａを点灯することで下壁が明輝するよう構成される。
【００５９】
(可動台８８に対する第２表示装置９３の取付構造について)
前記可動台８８には、図１０,図１１に示す如く、前後方向に貫通して前記移動平面に沿って延在する複数の長孔８８ｅが上下および左右方向に離間して形成されており、各長孔８８ｅに、前記第２表示装置９３の収容ケース９５に設けられて後方に突出する対応する案内部材９５ｂが摺動自在に挿通されている。すなわち、可動台８８の前側に位置する第２表示装置９３は、複数の案内部材９５ｂが対応する長孔８８ｅで案内されて該長孔８８ｅの延在方向(移動平面に沿う方向)に移動自在に支持されている。なお、第２表示装置９３は、可動台８８に対して案内部材９５ｂによって前後方向の変位が規制されるようになっている。
【００６０】
(スライド駆動機構９６について)
前記可動台８８に、前記第２表示装置９３をスライド動作(移動)させるスライド駆動機構９６が配設されている。このスライド駆動機構９６は、図１０,図１１に示す如く、可動台８８の裏面に出力軸を前向きにして配設された駆動手段としての第３駆動モータ(電気部品)９７と、該第３駆動モータ９７の回転力を前記第２表示装置９３に伝達する第３伝達機構９８とを備える。第３伝達機構９８は、第３駆動モータ９７の出力軸に連結されたカム部材９９と、該カム部材９９の偏心位置に設けられて、前記第２表示装置９３における収容ケース９５の後壁に形成されたスライド用長孔９５ｃに摺動自在に挿入された係合ピン９９ａとを備える。前記スライド用長孔９５ｃは、可動台８８に形成された前記長孔８８ｅの延在方向と直交する方向に延在するよう形成されている。すなわち、第３駆動モータ９７を正転方向および逆転方向に回転駆動することで、カム部材９９の係合ピン９９ａがスライド用長孔９５ｃ内を移動することで、可動台８８に対して第２表示装置９３が前記長孔８８ｅで案内されて前記移動平面に沿って直線的に往復移動し得るよう構成される(図２４参照)。実施例では、可動台８８に対して第２表示装置９３は、案内部材９５ｂが長孔８８ｅの一端側(具体的には作動部材７６に対する第２表示装置９３の第１位置において第１支持軸側の端)に位置する基本位置と、該案内部材９５ｂが長孔８８ｅの他端側に位置する作動位置との間をスライド動作し得るようになっている。
【００６１】
図１０に示す如く、前記カム部材９９に第３検出片９９ｃが設けられ、該第３検出片９９ｃは、前記可動台８８に配設された第３検出手段(電気部品)１００によって検出可能に構成されている。第３検出手段１００は、後述する制御手段１１２に配線接続されており(図２５参照)、該第３検出手段１００からの検出信号の入力に基づいて制御手段１１２が第３駆動モータ９７を駆動制御し得るよう構成される。前記第３検出片９９ｃは、可動体８８に対する第２表示装置９３の基本位置において第３検出手段１００で検出されて、該第３検出手段１００の検出信号の入力に基づいて第３駆動モータ９７を制御手段１１２が停止制御することで、可動台８８に対して第２表示装置９３を基本位置に停止保持し得るよう構成される。第３駆動モータ９７としてステッピングモータが採用され、該第３駆動モータ９７の駆動によって基本位置から移動を開始した第２表示装置９３を、移動パルス信号の制御によって作動位置および基本位置と作動位置との間の任意の位置で停止するように第３駆動モータ９７を制御手段１１２で駆動制御し得るよう構成されている。また、制御手段１１２は、第３駆動モータ９７の駆動によって基本位置から移動を開始した第２表示装置９３の現在位置を、第３駆動モータ９７に供給される移動パルス信号によって制御手段１１２が認識し得るよう構成されている。
【００６２】
ここで、前記第１可動演出装置Ｎ１では、前記作動部材７６の初期位置において、図２に示す如く、基準姿勢となっている第２表示装置９３は、該第２表示装置９３の左右方向の中央が、遊技盤２０に対して設定される上下方向の第１基準線Ｃ１に一致する位置に保持されている。基準姿勢の第２表示装置９３において、第２可動演出装置Ｎ２の第２表示装置９３と対向する下面を基準面Ｆと指称すると共に、該基準面Ｆにおける第１基準線Ｃ１と一致する点を基準点Ｐと指称する。そして、第１可動演出装置Ｎ１では、作動部材７６が初期位置および第１移動位置(図２０参照)の間を揺動(回転移動)する場合に、作動部材７６に対して可動台８８および第２表示装置９３を回転駆動機構８２により回転動作させると共に、該可動台８８に対して第２表示装置９３をスライド駆動機構９６によりスライド動作させることによって、第２表示装置９３が基準姿勢を維持したまま基準点Ｐが第１基準線Ｃ１上を移動し得るよう構成されている。すなわち、作動部材７６が初期位置と第１移動位置との間を揺動する際に、該作動部材７６と可動台８８との支持部(第２支持軸８９の支持位置)は円弧軌道で移動するのに対し、第２表示装置９３を第１基準線Ｃ１に沿った直線軌道で移動させ得るようになっている。実施例では、回転駆動機構８２およびスライド駆動機構９６により、第２表示装置(可動体)９３を姿勢を一定に維持させたまま直線軌道で移動させる姿勢維持機構が構成される。また、前記第１可動演出装置Ｎ１は、前記作動部材７６の初期位置および移動位置においてスライド駆動機構９６を独立して駆動することによって第２表示装置９３を基準姿勢のままスライド動作させ得るようになっている。なお、実施例では、作動部材７６の初期位置において基準姿勢となっている第２表示装置９３が可動台８８に対する基本位置にある状態で、該第２表示装置９３の基準点Ｐが第１基準線Ｃ１に一致するよう設定されている。
【００６３】
また、第１可動演出装置Ｎ１では、作動部材７６が第２移動位置から第３移動位置(図２２参照)に移動(回転移動)する場合に、作動部材７６に対して可動台８８および第２表示装置９３を回転駆動機構８２により回転動作させると共に、該可動台８８に対して第２表示装置９３をスライド駆動機構９６によりスライド動作させることによって、第２表示装置９３は、基準面Ｆが略鉛直となる直立姿勢に姿勢変化し得るよう構成される。そして、この直立姿勢において、遊技盤２０に対して設定される左右方向の第２基準線Ｃ２に基準点Ｐを一致させ得るよう構成されている。
【００６４】
(配線支持部１０１について)
前記作動部材７６の後半体７８における延出端部の後壁７８ｂの裏側に、前記可動台８８に配設された第３駆動モータ９７、第３検出手段１００、発光基板９２等の電気部品から導出した配線(具体的には配線Ｈの後述する移動許容部１０６)を支持する配線支持部１０１が設けられている。なお、後半体７８の後壁７８ｂにおける配線支持部１０１が設けられる部位について、他の部位と区別する場合には取付ベース１０２と指称する場合もある。
【００６５】
ここで、実施例では、前記作動部材７６に対して可動台８８および第２表示装置９３が一体で回動可能(移動可能)に支持されており、作動部材７６が可動台８８および第２表示装置９３に対する設置部であり、可動台８８および第２表示装置９３が作動部材７６に対する可動体である。すなわち、実施例では、可動台８８に配設されている第３駆動モータ９７、第３検出手段１００、発光基板９２が、設置部に対して可動体と一体的に移動する電気部品である。
【００６６】
前記配線支持部１０１は、図１３,図２３に示す如く、前記取付ベース１０２の裏面に突設されて、前記第２支持軸８９と同軸となるように設けられた円筒状の配線支持軸１０３と、該配線支持軸１０３の突出端(後端)に配設される平板状のカバー部材１０４とを備える。配線支持部１０１は、カバー部材１０４と取付ベース１０２との対向面間に、径方向外方に開放する配線収容空間１０５が画成されて、該配線収容空間１０５に、前記配線Ｈの後述する移動許容部１０６が軸方向への移動が規制された状態で径方向への移動は許容された状態で収容されるよう構成される。なお、配線収容空間１０５におけるカバー部材１０４の外縁部と取付ベース１０２とで画成される径方向に開放する開口部について、以後は径方向開口部１０５ａと指称する場合がある。
【００６７】
前記可動台８８に配設される前記第３駆動モータ９７は、前記第２支持軸８９から径方向に離間すると共に、前記作動部材７６に対して第２表示装置９３と共に可動台８８が第１位置と各第２位置との間を回動する間において該作動部材７６と干渉しない位置に配設されている。また、可動台８８には、図２３(ｂ)に示す如く、前記第３駆動モータ９７の配設位置に近接して可動台側配線保持部１０７が設けられる。そして、第３駆動モータ９７、第３検出手段１００および発光基板９２から導出する各配線が纏められた状態で可動台側配線保持部１０７に結束具１０８を介して係止されて、これらの配線が可動台８８の後方に大きく変位するのを防止するよう構成されている。実施例では、可動台８８に配設されている第３駆動モータ９７、第３検出手段１００および発光基板９２等の電気部品から導出した複数本の配線を纏めた状態で引き回される配線を、配線Ｈと指称するものとする。そして、該配線Ｈに形成される後述する移動許容部１０６が、前記配線支持軸１０３を囲む状態で前記配線収容空間１０５に収容されるようになっている。なお、配線Ｈは、配線収容空間１０５の径方向開口部１０５ａを介して該配線収容空間１０５に引き込まれると共に、該径方向開口部１０５ａを介して配線収容空間１０５の外部に引き出されるよう構成される。
【００６８】
前記作動部材７６には、前記取付ベース１０２から該作動部材７６の回動中心側(第１支持軸６３による支持部側)に離間した位置に第２中継基板(基板)１０９が配設され、該第２中継基板１０９に、前記電気部品９２,９７,１００に一端が接続された前記配線Ｈの他端がコネクタ接続されている。また、取付ベース１０２には、図２３(ｂ)に示す如く、前記第２中継基板１０９に近接する位置にベース側配線保持部(保持部)１１０が設けられており、前記配線Ｈにおける配線収容空間１０５から第２中継基板側に引き出された部位がベース側配線保持部１１０に係止されている。すなわち、配線Ｈは、ベース側配線保持部１１０によって作動部材７６(取付ベース１０２)に保持されて、該配線Ｈが作動部材７６(取付ベース１０２)の後方に大きく変位するのを防止するよう構成されている。なお、実施例では、配線Ｈにおけるベース側配線保持部１１０で係止されている部分の近傍で複数の配線が結束具１０８で結束されて、各配線がばらけないようにしている。
【００６９】
(配線Ｈについて)
前記配線Ｈは、前記径方向開口部１０５ａから取付ベース１０２とカバー部材１０４との間の配線収容空間１０５に引き込まれた後、図２３(ｂ)に示す如く、前記配線支持軸１０３(可動台８８および第２表示装置９３の回動軸線)を囲むように環状に巻かれ、その後に径方向開口部１０５ａから外部に引き出されるよう構成されており、該環状に巻かれた部分が移動許容部１０６として機能するようになっている。すなわち、移動許容部１０６は、前記第２表示装置９３(可動台８８)と同軸の配線支持軸１０３を囲むように配置されて、第２表示装置９３(可動台８８)が作動部材７６に対して回動する際に移動許容部１０６が円滑に状態変化するよう構成される(図２４参照)。また、配線Ｈにおける配線収容空間１０５から前記第２中継基板１０９側に引き出された部位(基板接続部側の部位)が、前記ベース側配線保持部１１０に保持されている。すなわち、ベース側配線保持部１１０と可動台側配線保持部１０７(電気部品９２,９７,１００)の間に延在して環状に巻かれた移動許容部１０６が、前記配線支持軸１０３に対して所定の隙間をあけて囲むように配置されている。言い替えれば、移動許容部１０６に配線支持軸１０３が遊挿されて、該配線支持軸１０３に対して移動許容部１０６は径方向に縮小・拡大可能に位置している。なお、ベース側配線保持部１１０による配線Ｈの保持位置は、前記第２表示装置９３(可動台８８)の作動部材７６に対する第１位置において前記配線支持軸１０３を挟んで可動台側配線保持部１０７とは反対側に設定されて、配線支持部１０１を軸方向から見て移動許容部１０６が環状を保持し得るようになっている。
【００７０】
前記環状の移動許容部１０６は、前記作動部材７６に対する第２表示装置９３(可動台８８)の第１位置において、図２４(ａ)に示す如く、該配線Ｈが配線支持軸１０３との間に隙間をあけて負荷が加わらない第１状態を保持し、図２４(ｂ)に示す如く、該作動部材７６に対して第２表示装置９３(可動台８８)が第１位置から第２位置へ回転(移動)する際に径が小さくなる第２状態へと状態変化するよう構成される。すなわち、移動許容部１０６は、前記作動部材７６に対して第２表示装置９３(可動台８８)が第１位置から第２位置に回転(移動)する際に径が小さくなるように状態変化すると共に、該作動部材７６に対して第２表示装置９３(可動台８８)が第２位置から第１位置に回転(移動)する際に径が大きくなるように状態変化するよう構成されている。なお、図２４は、初期位置から第１移動位置に移動した作動部材７６に対して第２表示装置９３が基準第２位置となる状態を示している。
【００７１】
前記移動許容部１０６の巻き形態について具体的に説明すると、前記作動部材７６に対して第２表示装置９３(可動台８８)が第１位置にある状態において、図２４(ａ)のように配線支持部１０１を裏側から見た場合に、配線Ｈは、前記可動台側配線保持部１０７に保持されている部位から時計回り(右回り)で前記配線支持軸１０３の周りを囲うように引き回された後に前記ベース側配線保持部１１０に保持されている部位に至るように一巻きされている。そして、このように配線支持軸１０３の周りを囲う環状に巻かれた第１状態の移動許容部１０６は、ベース側配線保持部１１０と配線支持軸１０３との間に臨む部分が該配線支持軸１０３に近接するのに対し、該配線支持軸１０３を挟んでベース側配線保持部１１０とは反対側の部分が配線支持軸１０３から径方向に大きく離間している。また、移動許容部１０６の第１状態において、配線支持軸１０３を挟んでベース側配線保持部１１０とは反対側の部分(配線支持軸１０３から径方向に大きく離間している部分)が配線収容空間１０５から外方に延出しないようになっている。そして、前記作動部材７６に対して第２表示装置９３(可動台８８)が第１位置から第２位置(基準第２位置)に回転する際には、図２４(ｂ)において該第２表示装置９３(可動台８８)が反時計回り方向に回転するにつれて、移動許容部１０６における可動台側配線保持部１０７側が引っ張られることで該移動許容部１０６が縮径して第２状態となる。
【００７２】
前記移動許容部１０６の第２状態では、図２４(ｂ)のように配線支持部１０１を裏側から見た場合に、移動許容部１０６は、該移動許容部１０６の内周が前記配線支持軸１０３の外周に近接するが、該配線支持軸１０３に締め付けられる状態とはならずに、該移動許容部１０６(配線Ｈ)に大きな負荷が加わらない状態となる。そして、作動部材７６に対して第２表示装置９３(可動台８８)が第２位置(基準第２位置)から第１位置に回転する際には、図２４(ａ)において該第２表示装置９３(可動台８８)が時計回り方向に回転するにつれて、移動許容部１０６における可動台側配線保持部１０７側が押されることで該移動許容部１０６が拡径して第１状態に戻る。このとき、移動許容部１０６におけるベース側配線保持部１１０と配線支持軸１０３との間に臨む部分が径方向外方へ変位されるのが該ベース側配線保持部１１０によって規制されることで、該移動許容部１０６は、配線支持軸１０３を挟んでベース側配線保持部１１０とは反対側の部分が径方向外方に変位して第１状態に戻るようになっている。すなわち、ベース側配線保持部１１０は、作動部材７６に対して第２表示装置９３(可動台８８)が第１位置および第２位置(基準第２位置)の間を回動する際に移動許容部１０６における特定部位(ベース側配線保持部１１０と配線支持軸１０３との間の部分)の径方向外方への変位を規制する規制部材として機能するよう構成されている。また、作動部材７６に対して第２表示装置９３(可動台８８)が第１位置および第２位置(基準第２位置)の間を回動する際に、前記移動許容部１０６は配線収容空間１０５内に位置して、前記取付ベース１０２およびカバー部材１０４によって軸方向への移動が規制されるようになっている。
【００７３】
(配線巻き付け部材１１１の取付凹部１０２ａについて)
前記取付ベース(設置部)１０２には、図２３に示す如く、前記配線支持軸１０３から径方向の外側に離間した位置に、後方に開口する取付凹部(取付部)１０２ａが設けられている。実施例では、２つの取付凹部１０２ａ,１０２ａが配線支持軸１０３の周方向に離間して設けられている。また、前記カバー部材１０４には、各取付凹部１０２ａと前後方向に整列する位置に軸方向(移動許容部１０６の軸方向)に貫通する貫通孔１０４ａが夫々が形成されており、該貫通孔１０４ａに後側から挿通された配線巻き付け部材１１１の端部を対応する取付凹部１０２ａに嵌挿することで、該配線巻き付け部材１１１が位置決め状態で配線支持部１０１に取り付けられるよう構成されている。この配線巻き付け部材１１１は、貫通孔１０４ａおよび取付凹部１０２ａに挿通可能な棒状部材であって、配線支持軸１０３に対して配線Ｈを巻く場合に用いられ、該配線Ｈを巻いた後には貫通孔１０４ａから引き抜かれる。
【００７４】
前記配線Ｈを、前記配線支持軸１０３および２つの配線巻き付け部材１１１,１１１の周囲に巻き付けた後に該配線巻き付け部材１１１,１１１を取り外すことで、一定の径に規定された前記移動許容部１０６が形成されるようになっている。配線支持軸１０３および２つの配線巻き付け部材１１１,１１１の周囲に配線Ｈを巻き付けることで規定される移動許容部１０６の径(内径)は、前記作動部材７６に対して第２表示装置９３(可動台８８)が第１位置および第２位置(基準第２位置、傾斜第２位置、直立第２位置)の間を回動(移動)する際に移動許容部１０６が径方向に縮小・拡大しても配線Ｈに大きな負荷が加わったり、該移動許容部１０６が前記配線収容空間１０５から外方に延出しない値に設定されている。具体的には、作動部材７６に対して第２表示装置９３(可動台８８)が第１位置から第２位置に回転することで径が小さくなる移動許容部１０６が配線支持軸１０３に締め付けられることがなく、かつ作動部材７６に対して第２表示装置９３(可動台８８)が第２位置から第１位置に回転することで径が大きくなる移動許容部１０６が前記配線収容空間１０５から外方に延出することがないよう設定される。実施例では、第２表示装置９３(可動台８８)の第１位置に対して基準第２位置、傾斜第２位置、直立第２位置の順で作動部材７６に対する回動角度が大きくなるよう設定されており、第１位置に対して最も大きな回動角度となる直立第２位置まで第２表示装置９３(可動台８８)が回動した場合でも、径方向に縮小する配線Ｈの移動許容部１０６が配線支持軸１０３に締め付けられることがないよう設定されている。なお、前記カバー部材１０４は透明に構成されて、配線支持軸１０３および２つの配線巻き付け部材１１１,１１１の周囲に配線Ｈを巻き付ける際には外側から配線Ｈの様子を視認し得るようになっている。
【００７５】
また、前記取付凹部１０２ａおよび貫通孔１０４ａは、図２３に示す如く、前記作動部材７６に対する第２表示装置９３(可動台８８)の第１位置において前記配線支持軸１０３を挟んでベース側配線保持部１１０とは反対側に偏倚して設けられている。すなわち、配線支持軸１０３および２つの配線巻き付け部材１１１,１１１の周囲に巻き付けた後に該配線巻き付け部材１１１,１１１を取り外すことで形成された前記移動許容部１０６は、図２３(ｂ)に示す如く、配線Ｈにおけるベース側配線保持部１１０から配線支持軸１０３に至る第１部位１０６ａより、配線支持軸１０３から配線Ｈの交差部を経て可動台側配線保持部１０７に至るまでの第２部位１０６ｂが長くなる。従って、作動部材７６に対して第２表示装置９３(可動台８８)が第１位置から第２位置に回転する際には、長い第２部位１０６ｂが変位するので、移動許容部１０６の円滑な状態変化ができる。
【００７６】
(第２可動演出装置Ｎ２について)
図１５〜図１９に示す前記第２可動演出装置Ｎ２について、前記第１可動演出装置Ｎ１と異なる部分について説明する。第２可動演出装置Ｎ２の設置基体６０は、前記背面板４９の前面における左下隅部に配設されて、該第２可動演出装置Ｎ２の作動部材７６は、図３に示す如く、初期位置では前記設置部材２２における下板部４９ｂの前側において第１支持軸６３による支持端とは反対の延出端が、可動基部７９を基準として右下がりの傾斜姿勢となっている。そして、第２可動演出装置Ｎ２の作動部材７６は、初期位置から移動機構６５によって第１支持軸６３を中心として傾動された移動位置(第１〜第３移動位置)では、延出端が開口部２２ａ(枠状装飾体４２の開口部４２ａ)の中央側を向く傾斜姿勢(具体的には可動基部７９を基準として右上がりの傾斜姿勢)となるよう設定される。なお、第２可動演出装置Ｎ２においても、作動部材７６は、図２０に示すように初期位置に対して第１傾斜角度で傾斜する第１移動位置、図２１に示すように初期位置に対して第２傾斜角度で傾斜する第２移動位置、図２２に示すように初期位置に対して第３傾斜角度で傾斜する第３移動位置の３つの移動位置で停止し得るよう構成されている。また、第１傾斜角度、第２傾斜角度、第３傾斜角度の順で初期位置に対する角度が大きくなるよう設定されている。
【００７７】
ここで、第２可動演出装置Ｎ２について、前記作動部材７６に対して可動台８８と一体的に回転される第２表示装置９３は、初期位置の作動部材７６に対して該作動部材７６の長手方向と該第２表示装置９３の長手辺とが所定の傾斜角度で交差する基準姿勢(図２参照)、第１移動位置の作動部材７６に対して該作動部材７６の長手方向と該第２表示装置９３の長手辺とが所定の傾斜角度で交差する基準姿勢(図２０参照)、第２移動位置の作動部材７６に対して該作動部材７６の長手方向と該第２表示装置９３の長手辺とが略直交するよう該長手辺が右下がりに傾斜する傾斜姿勢(図２１参照)、および第３移動位置の作動部材７６に対して該作動部材７６の長手方向と該第２表示装置９３の長手辺とが所定の傾斜角度で交差するよう該長手辺が略鉛直となる直立姿勢(図２２参照)の間で姿勢変化し得るよう構成される。
【００７８】
前記第２可動演出装置Ｎ２の第２表示装置９３は、図３に示す如く、作動部材７６の初期位置では長手辺が前記設置部材２２の開口部２２ａの下縁と平行(略水平)に延在する基準姿勢に保持されている。また、第２可動演出装置Ｎ２の第２表示装置９３は、作動部材７６の初期位置では第２表示部９３ａが前記枠状装飾体４２の開口部４２ａ(板状部材２１の装着口２１ｂ)の下縁側において、図５に示す如く、該第２表示部９３ａの下側の一部が透明な前記ステージ４７および透明壁４１の後側に重なると共に、該第２表示部９３ａの上側は開口部４２ａに臨むよう構成される。すなわち、第２可動演出装置Ｎ２の第２表示装置９３は、初期位置において第２表示部９３ａの下部側がステージ４７および透明壁４１を介して遊技盤２０の前側から視認し得ると共に、該第２表示部９３ａの上部側が枠状装飾体４２の開口部４２ａを介して遊技盤２０の前側から視認し得るようになっている。また、第２可動演出装置Ｎ２の第２表示装置９３は、作動部材７６が移動位置に移動することで、図２０,図２１,図２２に示す如く、全体が開口部４２ａの中央側(装着口２１ｂ内)に位置して、該第２表示部９３ａの全体が枠状装飾体４２の開口部４２ａを介して視認し得るよう構成される。なお、第２可動演出装置Ｎ２の第２表示装置９３においては、基準姿勢において第１可動演出装置Ｎ１の第２表示装置９３と対向する上面が基準面Ｆであり、該基準面Ｆにおける前記第１基準線Ｃ１と一致する点が基準点Ｐとなる。
【００７９】
前記第２可動演出装置Ｎ２では、作動部材７６に配設される捻りコイルバネ８０(図１７,図１９参照)は、該作動部材７６を初期位置から移動位置に向けて付勢するよう構成されている。すなわち、第２可動演出装置Ｎ２では、作動部材７６を下方の初期位置から上方の移動位置に移動する際に第１駆動モータ６６に加わる負荷を、捻りコイルバネ８０の付勢力によって軽減するように構成されている。また、第２可動演出装置Ｎ２では、設置基体６０に対して第１中継基板７３は板面を前後方向に向けた姿勢で配設されると共に(図３,図１７参照)、該第１中継基板７３から導出するフラットケーブル７４を連繋部材７１の外面に沿って保持するハーネス保持部材７５は設けられていない。
【００８０】
(第１および第２可動演出装置Ｎ１,Ｎ２の第２表示装置９３,９３の関係について)
前記第１および第２可動演出装置Ｎ１,Ｎ２は、作動部材７６,７６の初期位置において、図２に示す如く、両第２表示装置９３,９３の基準点Ｐ,Ｐが第１基準線Ｃ１に一致する基準姿勢で基準面Ｆ,Ｆが上下方向に離間して対向する分離状態に保持されている。そして、両作動部材７６,７６を移動機構６５,６５により初期位置から第１移動位置に移動させる際に、作動部材７６,７６に対して可動台８８,８８および第２表示装置９３,９３を回転駆動機構８２,８２によって回転動作させると共に、該可動台８８,８８に対して第２表示装置９３,９３をスライド駆動機構９６,９６によってスライド動作させることによって、両第２表示装置９３,９３が基準姿勢を維持したまま相互に近接すると共に、基準点Ｐ,Ｐが第１基準線Ｃ１上を移動して前記枠状装飾体４２の開口部４２ａの中央側において基準面Ｆ,Ｆが近接した集合状態となるよう構成される(図２０参照)。すなわち、第１および第２可動演出装置Ｎ１,Ｎ２の両第２表示装置９３,９３は、相互に離間した分離状態および相互に近接した集合状態の何れの状態においても、基準点Ｐ,Ｐが第１基準線Ｃ１上(同一直線上)に位置するように整列する。また、第１および第２可動演出装置Ｎ１,Ｎ２の両第２表示装置９３,９３は、前記作動部材７６,７６の揺動によって相互に近接・離間する動作中も両基準点Ｐ,Ｐが第１基準線Ｃ１(同一直線上)に整列する状態を維持し得るように構成されている。
【００８１】
前記第１および第２可動演出装置Ｎ１,Ｎ２は、図２１に示す如く、作動部材７６,７６を第１移動位置から第２移動位置に移動するのに伴い、該作動部材７６,７６に対して可動台８８,８８および第２表示装置９３,９３を回転駆動機構８２,８２によって回転動作させると共に、該可動台８８,８８に対して第２表示装置９３,９３をスライド駆動機構９６,９６によってスライド動作させることによって、両第２表示装置９３,９３の集合状態を維持したまま両第２表示装置９３,９３を回転して傾斜姿勢に変化可能に構成されている。なお、実施例において集合状態とは、第２表示装置９３,９３の基準面Ｆ,Ｆが近接して並んで対向すると共に、基準点Ｐ,Ｐが対向方向で揃っている状態(具体的には、第２表示装置９３,９３の両短辺が基準面Ｆ,Ｆの対向方向で揃って該対向方向と交差する方向でずれていない状態)を指す。
【００８２】
更に、前記第１および第２可動演出装置Ｎ１,Ｎ２は、作動部材７６,７６を第２移動位置から第３移動位置に移動するのに伴い、該作動部材７６,７６に対して可動台８８,８８および第２表示装置９３,９３を回転駆動機構８２,８２によって回転動作させると共に、該可動台８８,８８に対して第２表示装置９３,９３をスライド駆動機構９６,９６によってスライド動作させることによって、図２２に示す如く、両第２表示装置９３,９３は、基準面Ｆ,Ｆが略鉛直となる直立姿勢となる。そして、両第２表示装置９３,９３の基準点Ｐ,Ｐが第２基準線Ｃ２に一致する直立姿勢で基準面Ｆ,Ｆが左右方向に離間して対向する分離状態に保持されるよう構成される。
【００８３】
すなわち、実施例の第１および第２可動演出装置Ｎ１,Ｎ２では、２つの第２表示装置９３,９３を、基準面Ｆ,Ｆが上下に離間して対向する第１形態(図２)、基準面Ｆ,Ｆが近接して第２表示装置９３,９３が基準姿勢で集合した第２形態(図２０)、基準面Ｆ,Ｆが近接して第２表示装置９３,９３が傾斜姿勢で集合した第３形態および基準面Ｆ,Ｆが左右に離間して対向する第４形態(図２２)に変化させ得るよう構成されている。
【００８４】
(パチンコ機１０の制御構成について)
次に、パチンコ機１０の制御構成について説明する。実施例のパチンコ機１０には、図２５に示す如く、パチンコ機１０を制御する制御手段１１２が設けられ、該制御手段１１２では、パチンコ機１０に備えられた各種検出スイッチ(検出手段)からの検出信号に基づいて各種処理が実行され、その処理結果に応じて対応する各種装置を制御するよう構成される。制御手段１１２は、制御処理を実行する制御ＣＰＵ、該制御ＣＰＵが実行する制御プログラムを記憶する制御ＲＯＭ、当該制御ＣＰＵの処理に必要なデータの書込み・読出しが可能な制御ＲＡＭ等を備えている。
【００８５】
前記制御手段１１２には、図２５に示す如く、前記上下の第１駆動モータ６６,６６、上下の第２駆動モータ８３,８３、上下の第３駆動モータ９７,９７が接続されている。また、制御手段１１２には、前記上下の第１検出手段７２,７２、上下の第２検出手段８７,８７、上下の第３検出手段１００,１００が接続されており、該制御手段１１２での制御処理結果に基づいて各モータ６６,６６,８３,８３,９７,９７を駆動させることで、対応する第２表示装置９３,９３が移動(動作)するよう構成されている。すなわち、制御手段１１２は、第２表示装置９３,９３(可動演出装置Ｎ１,Ｎ２)を制御する動作演出制御手段としての機能を有する。また、制御手段１１２には、前記第１表示装置１７および上下の第２表示装置９３,９３が接続される。制御手段１１２の制御ＲＯＭには、具体的には第１表示装置１７および第２表示装置９３,９３の表示内容を制御するための表示制御プログラムや各種の画像データ(図柄、各種背景画像、文字、キャラクタなどの画像データ)が記憶されている。
【００８６】
前記制御手段１１２は、前記第１駆動モータ６６,６６を移動パルス信号によって駆動制御して前記作動部材７６,７６を初期位置から第１移動位置(移動位置)に傾動する際には、前記第２表示装置９３,９３が基準姿勢を維持したまま基準点Ｐ,Ｐが第１基準線Ｃ１上を移動するように、前記第２駆動モータ８３,８３および第３駆動モータ９７,９７の回転方向および回転量を移動パルス信号によって制御するよう構成される。また、制御手段１１２は、第１駆動モータ６６,６６を移動パルス信号によって駆動制御して作動部材７６,７６を第１移動位置(移動位置)から初期位置に傾動する際においても、第２表示装置９３,９３が基準姿勢を維持したまま基準点Ｐ,Ｐが第１基準線Ｃ１上を移動するように、第２駆動モータ８３,８３および第３駆動モータ９７,９７の回転方向および回転量を移動パルス信号によって制御するよう構成される。具体的に第２駆動モータ８３は、第１駆動モータ６６の回転方向とは逆方向に、該第１駆動モータ６６の回転により傾動する作動部材７６の傾動角度と同じ角度で第２表示装置９３が傾動するように回転駆動制御され、これによって第２表示装置９３は基準姿勢に維持される。また、第３駆動モータ９７は、円弧軌道で移動する作動部材７６における第１駆動モータ６６の回転により傾動する傾動角度に応じた基準点Ｐの第１基準線Ｃ１からの変位量を相殺する方向に第２表示装置９３をスライド動作するように回転駆動制御され、これによって第２表示装置９３は基準点Ｐが第１基準線Ｃ１上を移動する。
【００８７】
また、制御手段１１２は、第２表示装置９３,９３を集合状態に維持したまま回動するように、第１駆動モータ６６,６６、第２駆動モータ８３,８３および第３駆動モータ９７,９７の回転方向および回転量を移動パルス信号によって制御するよう構成される。更に、前記作動部材７６を第２移動位置と第３移動位置との間を移動させる際に、制御手段１１２は、円弧軌道で移動する作動部材７６における第１駆動モータ６６の回転により傾動する傾動角度に応じた基準点Ｐの第２基準線Ｃ２からの変位量を相殺する方向に第２表示装置９３をスライド動作するように第３駆動モータ９７を回転駆動制御して、第２表示装置９３の基準点Ｐが第２基準線Ｃ２上を移動するよう構成される。
【００８８】
〔実施例の作用〕
次に、前述した実施例に係るパチンコ機１０の作用につき説明する。
【００８９】
前記前枠１３に設けられた前記操作ハンドル１６の操作レバー１６ａを遊技者が回転操作すると、前記打球発射装置から発射されたパチンコ球が前記板状部材２１の遊技領域２１ａ内に打ち出される。この遊技領域２１ａに打ち出されたパチンコ球は、前記枠状装飾体４２の外周囲を流下し、該パチンコ球が前記始動入賞口に入賞すると、前記制御手段１１２の制御に基づいて前記第１表示装置１７の第１表示部１７ａにおいて図柄(飾図)が変動開始され、所要の図柄変動演出が展開される。第１表示部１７ａで展開される図柄変動演出の結果、該第１表示部１７ａに所定の図柄組合わせで図柄が停止表示されたときに大当りが発生する。そして、大当りが発生すると、第１表示装置１７の第１表示部１７ａに表示された図柄組み合わせ(大当りの種類)に応じて、前記板状部材２１の下部に設けられた第１の特別入賞部３１および前記枠状装飾体４２に設けられた第２の特別入賞部３２の特別入賞口が所要のパターンで開放され、遊技者は多くの賞球が獲得可能となる。
【００９０】
前記第１表示装置１７の第１表示部１７ａで展開される図柄変動演出に応じて、前記制御手段１１２の制御に基づいて前記可動演出装置Ｎ１,Ｎ２の各第２表示装置９３,９３が動作されて動的な演出により遊技の興趣が高められる。また、制御手段１１２の制御に基づいて、第２表示装置９３,９３の第２表示部９３ａ,９３ａにおいて第１表示部１７ａで展開される図柄変動演出に対応する演出(画像)が表示されて、第１表示部１７ａおよび第２表示部９３ａ,９３ａでの表示演出の組み合わせによって遊技の興趣が高められる。更には、第１表示部１７ａでの図柄変動演出に応じてパチンコ機１０に配設されたランプ装置１８で発光演出が行われたりスピーカ１９で音演出が行われることで、遊技の興趣がより高められる。
【００９１】
(第１および第２可動演出装置Ｎ１,Ｎ２の作用について)
前記第１可動演出装置Ｎ１において、前記上作動部材７６が初期位置に位置すると共に上可動台８８および上第２表示装置９３が基準姿勢となっている状態(図２)で、前記制御手段１１２の制御下に前記上第１駆動モータ６６が正転方向に回転するように駆動制御されると、前記上作動部材７６が上第１支持軸６３を中心として第１移動位置に向けて反時計回り方向に傾動する(図２０参照)。上作動部材７６の傾動に伴って前記上第２駆動モータ８３が制御手段１１２の制御下に駆動制御されて、上作動部材７６に対して上可動台８８および上第２表示装置９３が基準姿勢に維持されるように該上可動台８８および上第２表示装置９３が時計回り方向に回転される。また、上作動部材７６の傾動に伴って前記上第３駆動モータ９７が制御手段１１２の制御下に駆動制御されて、上可動台８８に対して上第２表示装置９３が、円弧軌道を移動する上作動部材７６による基準点Ｐの第１基準線Ｃ１からの変位量を相殺する方向にスライド動作されることで、前記基準点Ｐが第１基準線Ｃ１上の位置に維持される。上第１駆動モータ６６が予め設定された回転数(パルス数)だけ回転すると、前記制御手段１１２により上第１駆動モータ６６が停止制御され、前記上作動部材７６が第１移動位置で停止する。また、制御手段１１２により上第２駆動モータ８３および上第３駆動モータ９７も停止制御され、上作動部材７６に対する上可動台８８および上第２表示装置９３の回転動作が停止すると共に、上可動台８８に対する上第２表示装置９３のスライド動作が停止し、図２０に示す如く、上第２表示装置９３は前記枠状装飾体４２における開口部４２ａの中央側において基準姿勢でパチンコ機１０の前側から視認可能な状態となる。
【００９２】
また、前記第２可動演出装置Ｎ２において、前記下作動部材７６が初期位置に位置すると共に下可動台８８および下第２表示装置９３が基準姿勢となっている状態(図２)で、前記制御手段１１２の制御下に前記下第１駆動モータ６６が正転方向に回転するように駆動制御されると、前記下作動部材７６が下支持軸６３を中心として第１移動位置に向けて反時計回り方向に傾動される(図２０参照)。下作動部材７６の傾動に伴って前記下第２駆動モータ８３が制御手段１１２の制御下に駆動制御されて、下作動部材７６に対して下可動台８８および下第２表示装置９３が基準姿勢に維持されるように該下可動台８８および下第２表示装置９３が時計回り方向に回転される。また、下作動部材７６の傾動に伴って前記下第３駆動モータ９７が制御手段１１２の制御下に駆動されて、下可動台８８に対して下第２表示装置９３が、円弧軌道を移動する下作動部材７６による基準点Ｐの第１基準線Ｃ１からの変位量を相殺する方向にスライド動作されることで、前記基準点Ｐが第１基準線Ｃ１上の位置に維持される。下第１駆動モータ６６が予め設定された回転数(パルス数)だけ回転すると、前記制御手段１１２により下第１駆動モータ６６が停止制御され、前記下作動部材７６が移動位置で停止する。また、制御手段１１２により下第２駆動モータ８３および下第３駆動モータ９７も停止制御され、下作動部材７６に対する下可動台８８および下第２表示装置９３の回転動作が停止すると共に、下可動台８８に対する下第２表示装置９３のスライド動作が停止し、図２０に示す如く、下第２表示装置９３は前記枠状装飾体４２における開口部４２ａの中央側において基準姿勢でパチンコ機１０の前側から視認可能な状態となる。そして、上下の第２表示装置９３,９３が、枠状装飾体４２における開口部４２ａの中央部で基準面Ｆ,Ｆが上下に対向して近接する集合状態となる。
【００９３】
前記第１および第２可動演出装置Ｎ１,Ｎ２において、前記作動部材７６,７６を第１移動位置から初期位置に戻す場合は、前記制御手段１１２により前記第１駆動モータ６６,６６、第２駆動モータ８３,８３および第３駆動モータ９７,９７が夫々初期位置から移動位置に移動される場合とは逆方向に回転駆動制御されることで、両第２表示装置９３,９３は基準姿勢を維持すると共に基準点Ｐ,Ｐが第１基準線Ｃ１上に位置したまま相互に離間するように直線軌道で移動する。そして、前記第１検出手段９２,９２、第２検出手段８７,８７および第３検出手段１００,１００の夫々が対応する検出片７１ａ,７１ａ,９０ａ,９０ａ,９９ｃ,９９ｃを検出すると、前記制御手段１１２により第１駆動モータ６６,６６、第２駆動モータ８３,８３および第３駆動モータ９７,９７が停止制御され、作動部材７６,７６は初期位置で停止する。このとき、両第２表示装置９３,９３は基準姿勢で分離状態となる(図２参照)。
【００９４】
実施例のパチンコ機１０では、前記第１および第２可動演出装置Ｎ１,Ｎ２の第２表示装置９３,９３について、上下に分離した分離状態および相互に近接した集合状態の何れの状態においても基準点Ｐ,Ｐが第１基準線Ｃ１上(同一直線上)に整列するように構成したので、分離状態での第２表示装置９３,９３による装飾効果を低下させることはない。すなわち、作動部材７６,７６の回転動作によって２つの第２表示装置９３,９３を前記枠状装飾体４２における開口部４２ａの中央部で集合状態とする場合に、分離状態において上下の第２表示装置９３,９３を左右方向にずらす必要はなく、装飾効果は低下しない。言い替えると、枠状装飾体４２における開口部４２ａの縁部側に位置する分離状態においてパチンコ機１０の前側から視認可能な両第２表示装置９３,９３が同一直線上に位置して左右にずれていないので、分離状態の第２表示装置９３,９３による装飾性を向上することができ、演出効果を高め得る。また、回転駆動機構８２,８２によって第２表示装置９３,９３は基準姿勢(作動部材７６の初期位置での姿勢)を維持し得るので、回動する作動部材７６,７６の小さなストロークで第２表示装置９３,９３を大きく移動させることができ、第２表示装置９３,９３の大きな動きによってインパクトのある演出を行って興趣を向上し得る。また、作動部材７６,７６を回動動作させても第２表示装置９３,９３を直線軌道上で移動させることができるので、一定の姿勢(基準姿勢)の第２表示装置９３,９３が直線的に移動する動作演出によって興趣を向上し得る。
【００９５】
ここで、設置部材２２等に固定配置した直線ガイド等の案内部材によって各第２表示装置９３を直線的に案内するよう構成することで、分離状態および集合状態で２つの第２表示装置９３,９３を同一直線上に位置させることは可能であるが、第２表示装置９３の移動量を大きくすると案内部材が前側に露出して見栄えが低下してしまう。また、案内部材が露出しないようにすると、第２表示装置９３の移動量が小さくなってインパクトのある動作演出ができなくなると共に集合状態とすることが困難となる。しかしながら、実施例のパチンコ機１０では、各可動演出装置Ｎ１,Ｎ２において、作動部材７６に対して第２表示装置９３を回転動作させる回転駆動機構８２およびスライド動作させるスライド駆動機構９６を、回転動作する作動部材７６と共に移動するよう構成しているので、第２表示装置９３を案内する部材を露出させることなく該第２表示装置９３の移動量を大きくしてインパクトのある動作演出を行って、演出の興趣を向上し得る。すなわち、常に同一直線上に位置する２つの第２表示装置９３,９３が分離したり集合するインパクトのある動作演出によって興趣を向上し得る。
【００９６】
前記第１および第２可動演出装置Ｎ１,Ｎ２の両第２表示装置９３,９３について、分離状態から集合状態となる動作中および集合状態から分離状態となる動作中の何れの動作中も基準点Ｐ,Ｐが第１基準線Ｃ１上に位置している。すなわち、両第２表示装置９３,９３は、近接・離間移動する間も同一直線上に整列しているので、両第２表示装置９３,９３の第２表示部９３ａ,９３ａに表示されている画像が左右方向にずれることなく近接・離間移動する動作演出によって興趣をより高めることができる。
【００９７】
実施例のパチンコ機１０では、各可動演出装置Ｎ１,Ｎ２の作動部材７６,７６に対して第２表示装置９３,９３(可動台８８,８８)をスライド動作させ得るよう構成したので、初期位置および第１移動位置の間を移動する作動部材７６,７６に対して第２表示装置９３,９３(可動台８８,８８)をスライド動作することによって、作動部材７６,７６の初期位置における一対の第２表示装置９３,９３の相対的な位置に関わらず第１移動位置において一対の第２表示装置９３,９３を集合状態とするインパクトのある演出を行って興趣を高め得る。すなわち、前記作動部材７６,７６の初期位置において上下に分離している一対の第２表示装置９３,９３が左右方向にずれている場合において、可動台８８,８８に対して第２表示装置９３,９３をスライド動作させることで、作動部材７６,７６の第１移動位置において一対の第２表示装置９３,９３を集合状態とすることができる。従って、作動部材７６,７６の初期位置における一対の第２表示装置９３,９３の配置に係る設計の自由度を高め得ると共に、一対の第２表示装置９３,９３が枠状装飾体４２における開口部４２ａの中央部で集合状態となるインパクトのある演出によって演出効果を向上し得る。また、第２表示装置９３,９３は一定の姿勢を維持して移動するので、表示部９３ａ,９３ａに表示される画像を、第２表示装置９３,９３の姿勢変化に合わせて適正な表示状態となるように制御する必要はなく、第２表示装置９３,９３の表示制御を簡略化して制御負荷を抑えることができる。
【００９８】
前記各可動演出装置Ｎ１,Ｎ２は、作動部材７６,７６に対して第２表示装置９３,９３を、移動機構６５,６５とは独立した回転駆動機構８２,８２およびスライド駆動機構９６,９６によって回転動作およびスライド動作させ得るよう構成したので、作動部材７６,７６を第１移動位置から第２移動位置に移動する際に、回転駆動機構８２,８２およびスライド駆動機構９６,９６によって第２表示装置９３,９３を回転動作すると共にスライド動作することで、図２１に示す如く、一対の第２表示装置９３,９３を集合状態に維持したまま回転させて傾斜姿勢とすることができ、演出の興趣を高め得る。また、各可動演出装置Ｎ１,Ｎ２は、可動台８８,８８に対して第２表示装置９３,９３を、移動機構６５,６５および回転駆動機構８２,８２とは独立したスライド駆動機構９６,９６によってスライド動作するよう構成したので、両第２表示装置９３,９３を同一方向にスライド動作することで集合状態に維持したまま左右方向に移動させる動作演出や、上第２表示装置９３と下第２表示装置９３とを相互に反対方向にスライド動作することで集合状態から左右にずれる動作演出を行うことが可能となる。しかも、実施例の第２表示装置９３,９３は、集合状態で近接する基準面Ｆ,Ｆを前記発光体９２ａ,９２ａの点灯により明輝し得るので、集合状態での発光演出や相互に反対方向にスライド動作する際の発光演出により興趣を向上し得る。
【００９９】
また、各可動演出装置Ｎ１,Ｎ２は、移動機構６５,６５とは独立して回転駆動機構８２,８２およびスライド駆動機構９６,９６を備えているので、作動部材７６,７６を初期位置および第１移動位置の間で移動させる途中において、第２表示装置９３,９３を左右方向にスライド動作させたり、回転動作することができ、動作演出の幅を広げて興趣を高めることができる。また、実施例の可動演出装置Ｎ１,Ｎ２では、回転駆動機構８２を作動部材７６に配設すると共に、スライド駆動機構９６を可動台８８に配設するよう構成したので、作動部材７６または可動台８８(第２表示装置９３)に両機構８２,９６を纏めて配設する場合に比べて作動部材７６または可動台８８(第２表示装置９３)の構成が複雑化するのを抑制することができる。
【０１００】
また、各可動演出装置Ｎ１,Ｎ２において、図２１に示す傾斜姿勢で集合した状態で、前記制御手段１１２の制御下に前記第１駆動モータ６６,６６を正転方向に回転駆動して作動部材７６,７６を第３移動位置に向けて移動する。そして、作動部材７６,７６の傾動に伴って第２駆動モータ８３,８３を駆動制御して、可動台８８,８８および第２表示装置９３,９３を時計回り方向に回転させると共に、第３駆動モータ９７,９７を駆動制御して、可動台８８,８８に対して第２表示装置９３,９３が、円弧軌道を移動する作動部材７６,７６による基準点Ｐの第２基準線Ｃ２からの変位量を相殺する方向にスライド動作されることで、前記基準点Ｐが第２基準線Ｃ２上の位置に維持される。第１駆動モータ６６,６６が予め設定された回転数(パルス数)だけ回転すると、前記制御手段１１２により第１駆動モータ６６,６６が停止制御され、作動部材７６,７６が第３移動位置で停止する。また、制御手段１１２により第２駆動モータ８３,８３および第３駆動モータ９７,９７も停止制御され、作動部材７６,７６に対する可動台８８,８８および第２表示装置９３,９３の回転動作が停止すると共に、可動台８８,８８に対する第２表示装置９３,９３のスライド動作が停止し、図２２に示す如く、第２表示装置９３,９３は前記枠状装飾体４２における開口部４２ａの左右の端縁側において直立姿勢でパチンコ機１０の前側から視認可能な状態となる。また第２表示装置９３,９３は、基準面Ｆ,Ｆが左右に対向して離間する分離状態となる。すなわち、第２表示装置９３,９３は、作動部材７６,７６の初期位置と第３移動位置とでは、姿勢が９０度変化した状態となり、画面(第２表示部９３ａ,９３ａ)が物理的に９０度変化することにより表示演出の興趣を向上し得る。
【０１０１】
前記作動部材７６の可動基部７９は、図１２,図１７に示す如く、前記設置基体６０に対して前後の両側から転動自在な前球体７９ｇおよび後球体６１ｂで移動自在に支持されている。すなわち、作動部材７６の揺動時には前後の球体７９ｇ,６１ｂが夫々転動することで、摺動する場合に比べて著しく抵抗を低減することができる。従って、設置基体６０に対して回動自在に支持されている作動部材７６に回転駆動機構８２、スライド駆動機構９６および第２表示装置９３を配設して重量のある作動部材７６においても、該作動部材７６を円滑に揺動させることができ、かつ作動部材７６を揺動する第１駆動モータ６６に加わる負荷も低く抑え得る。また、作動部材７６に対して可動台８８も転動自在な球体８８ｂで移動自在に支持されているので(図１３,図１８参照)、作動部材７６に対して可動台８８が回動する際の抵抗を低減することができ、スライド駆動機構９６および第２表示装置９３が配設されて重量のある可動台８８を作動部材７６に対して円滑に回動し得ると共に、該可動台８８を回動する第２駆動モータ８３に加わる負荷も低減し得る。
【０１０２】
前記第１可動演出装置Ｎ１の前記作動部材７６は、前記可動基部７９に配設した捻りコイルバネ８０によって初期位置に付けて付勢されるようになっているので、作動部材７６が移動位置(第１〜第３移動位置)から初期位置に向けて傾動する際には、前記第１駆動モータ６６に加わる負荷を軽減することができる。すなわち、回転駆動機構８２、スライド駆動機構９６および第２表示装置９３が配設されて重量のある作動部材７６を移動位置(第１〜第３移動位置)から引き上げる際には、前記第１駆動モータ６６に加わる負荷は大きくなるが、このときには前記捻りコイルバネ８０の付勢力によって作動部材７６が初期位置に移動するのを補助するので、第１駆動モータ６６に加わる負荷を軽減することができる。従って、第１駆動モータ６６として小型のものを使用し得ると共に、耐久寿命を延ばすことができる。なお、作動部材７６が初期位置から移動位置(第１〜第３移動位置)に移動する際には、捻りコイルバネ８０の付勢力に抗して第１駆動モータ６６が作動部材７６を駆動することとなるが、このときには作動部材７６に配設されている各機構８２,９６や第２表示装置９３の重量が移動位置(第１〜第３移動位置)に向かう方向に作用するから、捻りコイルバネ８０の付勢力が第１駆動モータ６６にとって大きな負担となることはない。
【０１０３】
なお、前記第２可動演出装置Ｎ２の捻りコイルバネ８０は、作動部材７６を初期位置から移動位置(第１〜第３移動位置)に向けて付勢するものであるが、第１可動演出装置Ｎ１の捻りコイルバネ８０と同様に、作動部材７６を下方から上方に引き上げる際に第１駆動モータ６６に加わる負荷を軽減する方向に付勢力が作用するよう構成されている。従って、第２可動演出装置Ｎ２においても、捻りコイルバネ８０を配設することで、第１駆動モータ６６として小型のものを使用し得ると共に、耐久寿命を延ばすことができる。
【０１０４】
(配線Ｈの作用について)
前記作動部材７６に対して第２表示装置９３(可動台８８)が回動する際における前記配線Ｈに設けられた移動許容部１０６の作用につき、先ず配線Ｈを配線支持部１０１に支持させる組み付けについて説明する。
【０１０５】
前記第２表示装置９３を取り付けた可動台８８を作動部材７６に第２支持軸８９を介して回動自在に取り付けた状態で、前記配線支持軸１０３の後端に前記カバー部材１０４をネジ止め固定する。このとき、カバー部材１０４の各貫通孔１０４ａが、作動部材７６における取付ベース１０２の対応する取付凹部１０２ａに軸方向で整列する。また、作動部材７６に対して可動台８８(第２表示装置９３)を第１位置に位置決めする。そして、カバー部材１０４の各貫通孔１０４ａに挿通した配線巻き付け部材１１１の端部を、対応する取付凹部１０２ａに嵌挿することで該配線巻き付け部材１１１を配線支持部１０１にセットする(図２３参照)。このもとで、可動台８８に配設されている電気部品９２,９７,１００から導出する配線Ｈを、カバー部材１０４と取付ベース１０２との間の配線収容空間１０５に導入しつつ前記配線支持軸１０３および２本の配線巻き付け部材１１１,１１１の周囲に１周巻き付けた後に該配線収容空間１０５から引き出し、該配線Ｈにおける引き出された端部を前記作動部材７６に配設されている第２中継基板１０９にコネクタ接続する。
【０１０６】
前記配線Ｈにおける電気部品９２,９７,１００から導出して配線収容空間１０５に引き込まれるまでの間の部位を、前記可動台側配線保持部１０７に結束具１０８で係止して移動しないように保持する。また、配線Ｈにおける配線収容空間１０５から引き出されて第２中継基板１０９に接続されるまでの間の部位を、前記ベース側配線保持部１１０に係止して前記取付ベース１０２から軸方向に移動しないように保持する。これにより、配線収容空間１０５に収容された環状に巻かれている移動許容部１０６の径が規定される。そして、取孔凹部１０２ａおよび貫通孔１０４ａから配線巻き付け部材１１１を取り外すことで、移動許容部１０６は、配線支持軸１０３を囲うように配置される。また、配線収容空間１０５に収容された移動許容部１０６は、取付ベース１０２およびカバー部材１０４によって軸方向への移動は規制される。
【０１０７】
前記作動部材７６に対して第２表示装置９３(可動台８８)が第１位置となっている状態では、図２４(ａ)に示す如く、前記配線支持軸１０３を囲むように環状に巻かれている移動許容部１０６の内周と該配線支持軸１０３の外周との間には隙間がある。作動部材７６に対して第２表示装置９３(可動台８８)が第１位置から第２位置(基準第２位置、傾斜第２位置、直立第２位置)に回転する際には、図２４(ｂ)に示す如く、配線支持軸１０３の周囲に離間して巻かれている移動許容部１０６の径が小さくなるように状態変化することで、該第２表示装置９３(可動台８８)の回転が許容される。この場合に、前記配線支持軸１０３と２つの配線巻き付け部材１１１,１１１の周囲に巻き付けることで径が規定された移動許容部１０６は、第２表示装置９３(可動台８８)が第１位置から第２位置(基準第２位置、傾斜第２位置、直立第２位置)に回転したときに配線支持軸１０３に締め付けられないように設定されているので、該移動許容部１０６(配線Ｈ)に大きな負荷が加わることなく第２表示装置９３(可動台８８)は円滑に回動する。また、作動部材７６に対して第２表示装置９３(可動台８８)が第２位置(基準第２位置、傾斜第２位置、直立第２位置)から第１位置に回転する際には、前記移動許容部１０６は径が大きくなる状態に変化することで、配線Ｈに大きな負荷が加わることなく第２表示装置９３(可動台８８)の回転が許容される。すなわち、第２表示装置９３(可動台８８)が第１位置および第２位置(基準第２位置、傾斜第２位置、直立第２位置)の間を回動するに際し、移動許容部１０６に大きな負荷が加わることはなく、配線Ｈが損傷するのは防止される。また、第２表示装置９３(可動台８８)が第２位置(基準第２位置、傾斜第２位置、直立第２位置)から第１位置に回転することで径が大きくなる移動許容部１０６は、第１位置における径に戻るだけであるので、該移動許容部１０６が配線収容空間１０５から外方に延出することはなく、配線Ｈが他の部材に接触したり引っ掛かることはない。
【０１０８】
前記配線Ｈの移動許容部１０６は環状に形成されて、第２表示装置９３(可動台８８)の回動時には径が大きくなったり小さくなるよう変化するから、配線Ｈが部分的に鋭角に屈曲して負荷が集中することはなく、配線Ｈの損傷防止効果は高い。また、移動許容部１０６は、第２表示装置９３(可動台８８)の回動中心を囲む環状に形成されているから、該第２表示装置９３(可動台８８)の回動に際して移動許容部１０６はスムーズに状態変化し、配線Ｈに加わる負荷をより軽減し得る。また、移動許容部１０６は取付ベース１０２およびカバー部材１０４によって軸方向への変位は規制されているので、第２表示装置９３(可動台８８)が回動する際に移動許容部１０６が軸方向に変位して配線Ｈが他の部材に接触したり引っ掛かることはなく、第２表示装置９３(可動台８８)のスムーズな回動が阻害されるのを防止し得る。
【０１０９】
実施例では、前記配線収容空間１０５に収容されて配線支持軸１０３を囲うように環状に巻かれている移動許容部１０６の径は、前記作動部材７６に対して第２表示装置９３(可動台８８)が第１位置および第２位置(基準第２位置、傾斜第２位置、直立第２位置)の間で回動する際に、配線Ｈに大きな負荷が加わったり、移動許容部１０６の径が必要以上に大きくならないように設定されているから、配線Ｈが損傷したり第２表示装置９３(可動台８８)の動作に支障を来たすのを防止し得る。また、移動許容部１０６は、取付ベース１０２の取付凹部１０２ａおよびカバー部材１０４の貫通孔１０４ａに挿通した配線巻き付け部材１１１,１１１および配線支持軸１０３の周囲に巻き付けるだけで適正な径に設定されるから、作業者によって径がまちまちとなることはなく、品質を一定に維持できる。また、配線支持部１０１に配線巻き付け部材１１１を取り付けるために取付ベース１０２に設ける取付部を取付凹部１０２ａとしたので、配線巻き付け部材１１１を取り外した状態で、取付部は配線収容空間１０５に突出しないので、移動許容部１０６の状態変化を阻害することはなく、該移動許容部１０６はスムーズに状態変化する。
【０１１０】
実施例では、配線巻き付け部材１１１が挿脱可能な貫通孔１０４ａをカバー部材１０４に形成してあるので、該カバー部材１０４を配線支持軸１０３に固定した状態で、配線支持部１０１に対して配線巻き付け部材１１１を取り付けたり取り外すことができる。すなわち、カバー部材１０４を配線支持軸１０３に固定した状態で、配線Ｈを配線支持軸１０３および配線巻き付け部材１１１の周囲に巻き付ける作業を行うことができる。また、カバー部材１０４を配設した状態で取付ベース１０２とカバー部材１０４との間に画成される配線収容空間１０５は径方向外方に開放しているので、配線Ｈを配線支持軸１０３および配線巻き付け部材１１１の周囲に巻き付ける作業を容易に行い得る。
【０１１１】
ここで、前記取付凹部１０２ａおよび貫通孔１０４ａの位置、すなわち配線支持部１０１に対する配線巻き付け部材１１１の取付け位置は、配線支持軸１０３を挟んでベース側配線保持部１１０とは反対側に設定されている。これにより、第２表示装置９３の第１位置において、図２４(ａ)に示す如く、第１状態の移動許容部１０６は、ベース側配線保持部１１０から配線支持軸１０３に至る第１部位１０６ａより、配線支持軸１０３から配線Ｈの交差部を経て可動台側配線保持部１０７に至るまでの第２部位１０６ｂが長くなる。すなわち、第２表示装置９３(可動台８８)が第１位置から第２位置(基準第２位置、傾斜第２位置、直立第２位置)に回転する際には、長い第２部位１０６ｂが変位するので、移動許容部１０６が状態変化する際に配線Ｈが局部的に屈曲することはなく、移動許容部１０６(配線Ｈ)に部分的に大きな負荷が加わるのを防止することができ、配線Ｈの損傷を防ぎ得る。
【０１１２】
〔変更例〕
本願発明は、前述した実施例の構成に限定されるものではなく、その他の構成を適宜に採用することができる。
(1) 実施例では、一対の第２表示装置(可動体)を初期位置において上下方向で対向するように配置して近接・離間移動するよう構成したが、一対の第２表示装置(可動体)を初期位置において左右方向や斜め方向で対向するように配置して近接・離間移動する構成を採用し得る。
(2) 実施例では、２つの第２表示装置(可動体)を分離したり集合するよう構成したが、第２表示装置(可動体)は１つまたは３つ以上であってもよい。
(3) 実施例では、可動体として表示部に画像を表示可能な表示装置を用いたが、表面に各種の装飾を施した装飾部材を可動体としてもよい。そして、可動体を装飾部材とした場合は、複数の装飾部材が集合することで１つの意匠を形成するようにすれば、一層興趣を高めることができる。
(4) 実施例では、作動部材に対して可動台を、移動機構とは独立した回転駆動機構によって回転動作させるよう構成したが、作動部材の動作に連動して可動台(第２表示装置)を回動して姿勢を維持させるリンク機構等の姿勢維持機構を採用することができる。
(5) 実施例では、可動台に対して第２表示装置(可動体)を、移動機構および回転駆動機構とは独立したスライド駆動機構によってスライド動作させるよう構成したが、作動部材の動作あるいは可動台の動作に連動して第２表示装置(可動体)をスライド動作させて移動中においても基準点が基準線から外れないように直線軌道を移動するようにする軌道維持機構を採用することができる。
【０１１３】
(6) 実施例では、作動部材に対して可動台を回動自在に配設すると共に、該可動台に対して第２表示装置(可動体)をスライド動作自在に配設するよう構成したが、第２表示装置(可動体)を作動部材に対して回動自在で、かつスライド動作自在に配設し、該第２表示装置(可動体)を回転駆動機構およびスライド駆動機構によって回転およびスライド動作する構成を採用し得る。この場合に、回転駆動機構およびスライド駆動機構に代えて、作動部材の動作に連動して第２表示装置(可動体)を回転およびスライド動作させて姿勢および軌道を維持する姿勢維持機構を採用し得る。
(7) 実施例では、作動部材に対して第２表示装置(可動体)を回転およびスライド動作可能に配設したが、作動部材に対して第２表示装置(可動体)を回転動作のみが可能な構成を採用し得る。すなわち、作動部材に対して作動部材が移動する移動平面と交差する回転軸周りに回転自在に第２表示装置(可動体)を配設し、作動部材が初期位置と移動位置との間を移動する間に第２表示装置(可動体)を回転動作して初期位置での姿勢を維持するように構成できる。なお、この構成では、姿勢維持機構としては作動部材に対して第２表示装置(可動体)を回転動作させる回転機構のみを備えていればよい。
(8) 実施例では、取付ベース(設置部)に対して２本の配線巻き付け部材を取り付けるよう構成したが、該取付ベース(設置部)に取り付ける配線巻き付け部材の数は１本でも３本以上であってもよい。すなわち、取り付ける配線巻き付け部材の数に応じて取付ベース(設置部)に設ける取付凹部(取付部)の数を設定すればよい。同様に、カバー部材の貫通孔の数も、配線巻き付け部材の数に対応させればよい。
(9) 実施例では、第２表示装置(可動体)の第１位置において配線支持軸を挟んでベース側配線保持部(保持部)とは反対側に取付凹部(取付部)を設けたが、配線支持軸とベース側配線保持部(保持部)との間等、配線支持軸から径方向に離間する任意の位置に取付凹部(取付部)を設けることができる。
(10) 実施例では、移動許容部で囲われる配線支持軸と第２表示装置(可動体)の回動中心とを同軸とした場合で説明したが、径方にずれていてもよい。
【０１１４】
(11) 実施例では、作動部材に対して回動する可動台(第２表示装置)の回動を許容するための移動許容部を支持する配線支持部を可動台に設けた場合で説明したが、可動台に対して第２表示装置がスライド動作するのを許容するための移動許容部を支持する配線支持部を可動台に設ける構成を採用し得る。すなわち、第２表示装置自体や該第２表示装置に設けられた発光装置等の電気部品から導出する配線を環状に巻かれた移動許容部に遊挿される配線支持軸を可動台(設置部)に設けると共に、該可動台に配線巻き付け部材を着脱自在な取付部を設ける。この構成においても、配線支持軸と取付部に取り付けた配線巻き取り部材との周囲に配線を巻き付けることで、移動許容部の径を適正に規定することができ、可動台に対して第２表示装置(可動体)がスライド動作する際に配線に大きな負荷が加わったり配線が他の部材に接触するのを防止することができる。すなわち、設置部に配設される可動体は、該設置部に対して回転動作するものに限らずスライド動作するものであってもよい。
(12) 実施例では、移動機構を、駆動モータの回転を歯車および連繋部材を介して作動部材に伝えて揺動させるよう構成したが、駆動モータの回転を作動部材に伝える機構は、歯車と連繋部材とを用いた機構に限定されるものでなく、リンク手段やベルト、その他各種公知の機構を採用し得る。
(13) 実施例では、回転駆動機構を、駆動モータの回転を複数の歯車を介して可動台(第２表示装置)に伝えて回動させるよう構成したが、駆動モータの回転を可動台(第２表示装置)に伝える機構は、歯車を用いた機構に限定されるものでなく、リンク手段やベルト、その他各種公知の機構を採用し得る。
(14) 実施例では、スライド駆動機構を、駆動モータの回転をカム機構によって第２表示装置に伝えて直線的に往復移動させるよう構成したが、駆動モータの回転を第２表示装置に伝える機構は、カム機構に限定されるものでなく、リンク手段やラック・ピニオン機構等、その他各種公知の機構を採用し得る。
【０１１５】
(15) 実施例では、パチンコ機の全体を１つの制御手段で制御するよう構成したが、パチンコ機の全体を制御するメイン制御手段と、該メイン制御手段からの制御信号に基づいて各制御対象を制御するサブ制御手段とを設け、該サブ制御手段が可動演出装置の動作や第１および第２表示装置の表示内容(画像)を制御する構成を採用し得る。また、サブ制御手段を、可動演出装置の動作やパチンコ機の演出全体を統括的に制御する統括制御手段と、第１および第２表示装置の表示内容(画像)を制御する表示制御手段とに分けて、統括制御手段からの制御信号に基づいて表示制御手段が対象となる第１および第２表示装置の表示内容(画像)を制御する構成とすることができる。
(16) 遊技機としては、パチンコ機に限られるものではなく、アレンジボール機や遊技媒体としてパチンコ球やメダルを用いたスロットマシン等、その他各種の遊技機であってもよい。
【符号の説明】
【０１１６】
６５ 移動機構
７６ 作動部材
８２ 回転駆動機構(姿勢維持機構)
８８ 可動台
９３ 第２表示装置(可動体)
９３ａ 第２表示部(表示部)
９６ スライド駆動機構(姿勢維持機構)
Ｎ１ 第１可動演出装置(可動演出装置)
Ｎ２ 第２可動演出装置(可動演出装置)
【図１】
2016042893.tif 000003
【図２】
2016042893.tif 000004
【図３】
2016042893.tif 000005
【図４】
2016042893.tif 000006
【図５】
2016042893.tif 000007
【図６】
2016042893.tif 000008
【図７】
2016042893.tif 000009
【図８】
2016042893.tif 000010
【図９】
2016042893.tif 000011
【図１０】
2016042893.tif 000012
【図１１】
2016042893.tif 000013
【図１２】
2016042893.tif 000014
【図１３】
2016042893.tif 000015
【図１４】
2016042893.tif 000016
【図１５】
2016042893.tif 000017
【図１６】
2016042893.tif 000018
【図１７】
2016042893.tif 000019
【図１８】
2016042893.tif 000020
【図１９】
2016042893.tif 000021
【図２０】
2016042893.tif 000022
【図２１】
2016042893.tif 000023
【図２２】
2016042893.tif 000024
【図２３】
2016042893.tif 000025
【図２４】
2016042893.tif 000026
【図２５】
2016042893.tif 000027